(57)【要約】【課題】本開示は、ワイヤレス通信技術の分野に属する、データを送信するための方法、装置、およびシステム、ならびに記憶媒体を提供する。【解決手段】方法は、基地局にターゲット・ランダム・アクセス・プリアンブルを送ることと、このターゲット・ランダム・アクセス・プリアンブルに基づいて基地局によって送られ、繰り返し数標識情報を搬送するターゲット・ランダム・アクセス応答を受信することと、ターゲット送信繰り返し数に従って、ランダム・アクセス手順中に基地局にターゲット・アップリンク・データを送信することとを含む。ターゲット送信繰り返し数は、ランダム・アクセス手順中にユーザ機器が基地局にターゲット・アップリンク・データを繰り返し送信するように構成される回数を示す。ターゲット送信繰り返し数は、繰り返し数標識情報およびターゲット送信ブロック・サイズに基づいて決定される。ターゲット送信ブロック・サイズは、ランダム・アクセス手順中にユーザ機器が基地局にターゲット・アップリンク・データを送信するためのものである。本開示によって提供される技術的解決策は、ＥＤＴ技術における、どのようにしてユーザ機器が基地局にアップリンク・データを繰り返し送信するかという問題を解決することができる。【選択図】図２
2021525022.tif 000002
【特許請求の範囲】
【請求項１】
データを送信する方法であって、
ランダム・アクセス手順中にユーザ機器が基地局にターゲット・アップリンク・データを送信するように要求することを示すターゲット・ランダム・アクセス・プリアンブルを該基地局に送ることと、
該ターゲット・ランダム・アクセス・プリアンブルに基づいて該基地局によって送られ、繰り返し数標識情報を搬送するターゲット・ランダム・アクセス応答を受信することと、
ターゲット送信繰り返し数に従って、該ランダム・アクセス手順中に該基地局に該ターゲット・アップリンク・データを送信することであって、
該ターゲット送信繰り返し数が、該ランダム・アクセス手順中に該ユーザ機器が該基地局に該ターゲット・アップリンク・データを繰り返し送信するように構成される回数を示し、
該ターゲット送信繰り返し数が、該繰り返し数標識情報およびターゲット送信ブロック・サイズに基づいて決定され、
該ターゲット送信ブロック・サイズが、該ランダム・アクセス手順中に該ユーザ機器が該基地局に該ターゲット・アップリンク・データを送信するためのものである、
送信することと
を含む方法。
【請求項２】
対応関係の少なくとも１つのセットが前記ユーザ機器内に記憶され、該対応関係の少なくとも１つのセットの各々が、送信ブロック・サイズと送信繰り返し数との間の少なくとも１つの対応関係を備え、前記ターゲット送信繰り返し数に従って前記ランダム・アクセス手順中に前記基地局に前記ターゲット・アップリンク・データを送信する前に、前記方法は、
前記繰り返し数標識情報に基づいて、該対応関係の少なくとも１つのセットから対応関係のターゲット・セットを決定することと、
前記ターゲット送信ブロック・サイズに対応する前記送信繰り返し数を取得するために、前記ターゲット送信ブロック・サイズに基づいて該対応関係のターゲット・セットを問い合わせることと、
前記ターゲット送信ブロック・サイズに対応する前記送信繰り返し数を前記ターゲット送信繰り返し数として決定することと
をさらに含む、請求項１に記載の方法。
【請求項３】
前記対応関係の少なくとも１つのセットが、上位層シグナリングを通じて前記ユーザ機器に前記基地局によって送られる、請求項２に記載の方法。
【請求項４】
前記対応関係のセットが、
互いに対応する、第１の送信ブロック・サイズと第１の送信繰り返し数との間の第１の対応関係と、
互いに対応する、第２の送信ブロック・サイズと数標識情報との間の第２の対応関係と
を含み、
該数標識情報が、該第１の送信繰り返し数に対する、該第２の送信ブロック・サイズに対応する第２の送信繰り返し数の相対的関係を示す、請求項２に記載の方法。
【請求項５】
前記繰り返し数標識情報が、第３の送信ブロック・サイズに対応する第３の送信繰り返し数を示し、前記ターゲット送信繰り返し数に従って前記ランダム・アクセス手順中に前記基地局に前記ターゲット・アップリンク・データを送信する前に、前記方法が、
前記ターゲット送信ブロック・サイズ、該第３の送信ブロック・サイズ、および該第３の送信繰り返し数に基づいて、前記ターゲット送信繰り返し数を決定すること
をさらに含む、請求項１に記載の方法。
【請求項６】
前記第３の送信繰り返し数が送信繰り返し数のセットに含まれ、
該送信繰り返し数のセットが、通信プロトコルによってサポートされる送信繰り返し数のうちの少なくとも１つを含み、上位層シグナリングを通じて前記ユーザ機器に前記基地局によって送られる、
請求項５に記載の方法。
【請求項７】
前記ターゲット送信ブロック・サイズ、前記第３の送信ブロック・サイズ、および前記第３の送信繰り返し数に基づいて、前記ターゲット送信繰り返し数を決定することが、
前記第３の送信ブロック・サイズに対する前記ターゲット送信ブロック・サイズの相対的関係に基づいて、前記第３の送信繰り返し数に対する前記ターゲット送信繰り返し数の第１の相対的関係を決定することと、
該第１の相対的関係および前記第３の送信繰り返し数に基づいて前記ターゲット送信繰り返し数を決定することと
を含む、請求項５に記載の方法。
【請求項８】
前記ターゲット送信ブロック・サイズ、前記第３の送信ブロック・サイズ、および前記第３の送信繰り返し数に基づいて、前記ターゲット送信繰り返し数を決定することが、
前記第３の送信ブロック・サイズに対する前記ターゲット送信ブロック・サイズの相対的関係に基づいて、前記第３の送信繰り返し数に対する基準送信繰り返し数の第２の相対的関係を決定することと、
該第２の相対的関係および前記第３の送信繰り返し数に基づいて該基準送信繰り返し数を決定することと、
該基準送信繰り返し数に基づいて前記ターゲット送信繰り返し数を決定することと
を含む、請求項５に記載の方法。
【請求項９】
前記基準送信繰り返し数に基づいて前記ターゲット送信繰り返し数を決定することが、
前記基準送信繰り返し数に基づいて、前記ターゲット送信繰り返し数を決定することであって、前記ターゲット送信繰り返し数が、値のターゲット・セットの中の前記基準送信繰り返し数からの最小差を有する値である、決定すること
を含み、
該値のターゲット・セットが少なくとも１つの値を含み、該少なくとも１つの値の各々が、第１のあらかじめ設定された値の整数倍または第２のあらかじめ設定された値の整数乗である、請求項８に記載の方法。
【請求項１０】
前記基準送信繰り返し数に基づいて前記ターゲット送信繰り返し数を決定することが、
前記基準送信繰り返し数に基づいて、前記ターゲット送信繰り返し数を決定することであって、前記ターゲット送信繰り返し数が、前記基準送信繰り返し数からの最小差を有する通信プロトコルによってサポートされる送信繰り返し数のうちの１つである、決定すること
を含む、請求項８に記載の方法。
【請求項１１】
前記繰り返し数標識情報が、前記ターゲット・ランダム・アクセス応答のためのアップリンク・スケジューリング・グラント内で搬送される、請求項１から１０のいずれか一項に記載の方法。
【請求項１２】
データを送信する方法であって、
ユーザ機器によって送られたターゲット・ランダム・アクセス・プリアンブルを受信することであって、該ターゲット・ランダム・アクセス・プリアンブルが、ランダム・アクセス手順中に該ユーザ機器が基地局にターゲット・アップリンク・データを送信するように要求することを示す、受信することと、
該ターゲット・ランダム・アクセス・プリアンブルに基づいて、該ユーザ機器にターゲット・ランダム・アクセス応答を送ることであって、
該ターゲット・ランダム・アクセス応答が、該ユーザ機器が該繰り返し数標識情報およびターゲット送信ブロック・サイズに基づいてターゲット送信繰り返し数を決定するための繰り返し数標識情報を搬送し、
該ターゲット送信繰り返し数が、該ランダム・アクセス手順中に該ユーザ機器が該基地局に該ターゲット・アップリンク・データを繰り返し送信するように構成される回数を示し、
該ターゲット送信ブロック・サイズが、該ランダム・アクセス手順中に該ユーザ機器が該基地局に該ターゲット・アップリンク・データを送信するためのものである、
送ることと、
該ランダム・アクセス手順中に、該ターゲット送信繰り返し数に従って該ユーザ機器によって送信された該ターゲット・アップリンク・データを受信することと
を含む方法。
【請求項１３】
前記繰り返し数標識情報が、前記ユーザ機器内に記憶される対応関係の少なくとも１つのセットからの対応関係のターゲット・セットを決定するように前記ユーザ機器に指示するように構成され、該対応関係のターゲット・セットが、前記ユーザ機器が、前記ターゲット送信ブロック・サイズに対応する送信繰り返し数を取得して前記ターゲット送信繰り返し数として決定するために前記ターゲット送信ブロック・サイズに基づいて問い合わせるためのものであり、
該対応関係の少なくとも１つのセットの各々が、送信ブロック・サイズと送信繰り返し数との間の少なくとも１つの対応関係を含む、請求項１２に記載の方法。
【請求項１４】
前記対応関係の少なくとも１つのセットが、上位層シグナリングを通じて前記ユーザ機器に前記基地局によって送られる、請求項１３に記載の方法。
【請求項１５】
前記対応関係のセットが、
互いに対応する、第１の送信ブロック・サイズと第１の送信繰り返し数との間の第１の対応関係と、
互いに対応する、第２の送信ブロック・サイズと数標識情報との間の第２の対応関係であって、
該数標識情報が、該第１の送信繰り返し数に対する、該第２の送信ブロック・サイズに対応する第２の送信繰り返し数の相対的関係を示す、
第２の対応関係と
を含む、請求項１３に記載の方法。
【請求項１６】
前記繰り返し数標識情報が、第３の送信ブロック・サイズに対応する第３の送信繰り返し数を示し、
該第３の送信繰り返し数および該第３の送信ブロック・サイズが、前記ターゲット送信ブロック・サイズと組み合わせて、前記ユーザ機器が前記ターゲット送信繰り返し数を決定するためのものである、
請求項１２に記載の方法。
【請求項１７】
前記第３の送信繰り返し数が送信繰り返し数のセットに含まれ、
該送信繰り返し数のセットが、通信プロトコルによってサポートされる送信繰り返し数のうちの少なくとも１つを含み、上位層シグナリングを通じて前記ユーザ機器に前記基地局によって送られる、
請求項１６に記載の方法。
【請求項１８】
前記繰り返し数標識情報が、前記ターゲット・ランダム・アクセス応答のためのアップリンク・スケジューリング・グラント内で搬送される、請求項１２から１７のいずれか一項に記載の方法。
【請求項１９】
データを送信するための装置であって、
基地局にターゲット・ランダム・アクセス・プリアンブルを送るように構成された第１の送出モジュールであって、該ターゲット・ランダム・アクセス・プリアンブルが、ランダム・アクセス手順中にユーザ機器が該基地局にターゲット・アップリンク・データを送信するように要求することを示す、第１の送出モジュールと、
該ターゲット・ランダム・アクセス・プリアンブルに基づいて該基地局によって送られ、繰り返し数標識情報を搬送するターゲット・ランダム・アクセス応答を受信するように構成された受信モジュールと、
ターゲット送信繰り返し数に従って、該ランダム・アクセス手順中に該基地局に該ターゲット・アップリンク・データを送信するように構成された第２の送出モジュールであって、
該ターゲット送信繰り返し数が、該ランダム・アクセス手順中に該ユーザ機器が該基地局に該ターゲット・アップリンク・データを繰り返し送信するように構成される回数を示し、
該ターゲット送信繰り返し数が、該繰り返し数標識情報およびターゲット送信ブロック・サイズに基づいて決定され、
該ターゲット送信ブロック・サイズが、該ランダム・アクセス手順中に該ユーザ機器が該基地局に該ターゲット・アップリンク・データを送信するためのものである、
第２の送出モジュール
を備える装置。
【請求項２０】
データを送信するための装置であって、
ユーザ機器によって送られたターゲット・ランダム・アクセス・プリアンブルを受信するように構成された第１の受信モジュールであって、該ターゲット・ランダム・アクセス・プリアンブルが、ランダム・アクセス手順中に該ユーザ機器が基地局にターゲット・アップリンク・データを送信するように要求することを示す、第１の受信モジュールと、
該ターゲット・ランダム・アクセス・プリアンブルに基づいて、該ユーザ機器にターゲット・ランダム・アクセス応答を送るように構成された送出モジュールであって、
該ターゲット・ランダム・アクセス応答が、該ユーザ機器が該繰り返し数標識情報およびターゲット送信ブロック・サイズに基づいてターゲット送信繰り返し数を決定するための繰り返し数標識情報を搬送し、
該ターゲット送信繰り返し数が、該ランダム・アクセス手順中に該ユーザ機器が該基地局に該ターゲット・アップリンク・データを繰り返し送信するように構成される回数を示し、
該ターゲット送信繰り返し数が、該ランダム・アクセス手順中に該ユーザ機器が該基地局に該ターゲット・アップリンク・データを送信するためのものである、
送出モジュールと、
該ランダム・アクセス手順中に、該ターゲット送信繰り返し数に従って該ユーザ機器によって送信された該ターゲット・アップリンク・データを受信するように構成された第２の受信モジュールと
を備える装置。
【請求項２１】
ユーザ機器であって、
プロセッサと、
該プロセッサによって実行可能である命令を記憶するためのメモリと
を備え、
該プロセッサが、
基地局にターゲット・ランダム・アクセス・プリアンブルを送り、該ターゲット・ランダム・アクセス・プリアンブルが、ランダム・アクセス手順中に該ユーザ機器が該基地局にターゲット・アップリンク・データを送信するように要求することを示し、
該ターゲット・ランダム・アクセス・プリアンブルに基づいて該基地局によって送られ、繰り返し数標識情報を搬送するターゲット・ランダム・アクセス応答を受信し、
ターゲット送信繰り返し数に従って、該ランダム・アクセス手順中に該基地局に該ターゲット・アップリンク・データを送信する
ように構成され、
該ターゲット送信繰り返し数が、該ランダム・アクセス手順中に該ユーザ機器が該基地局に該ターゲット・アップリンク・データを繰り返し送信するように構成される回数を示し、
該ターゲット送信繰り返し数が、該繰り返し数標識情報およびターゲット送信ブロック・サイズに基づいて決定され、
該ターゲット送信ブロック・サイズが、該ランダム・アクセス手順中に該ユーザ機器が該基地局に該ターゲット・アップリンク・データを送信するためのものである、
ユーザ機器。
【請求項２２】
基地局であって、
プロセッサと、
該プロセッサによって実行可能である命令を記憶するためのメモリと
を備え、
該プロセッサが、
ユーザ機器によって送られたターゲット・ランダム・アクセス・プリアンブルを受信し、該ターゲット・ランダム・アクセス・プリアンブルが、ランダム・アクセス手順中に該ユーザ機器が該基地局にターゲット・アップリンク・データを送信するように要求することを示し、
該ターゲット・ランダム・アクセス・プリアンブルに基づいて、該ユーザ機器にターゲット・ランダム・アクセス応答を送り、
該ターゲット・ランダム・アクセス応答が、該ユーザ機器が該繰り返し数標識情報およびターゲット送信ブロック・サイズに基づいてターゲット送信繰り返し数を決定するための繰り返し数標識情報を搬送し、
該ターゲット送信繰り返し数が、該ランダム・アクセス手順中に該ユーザ機器が該基地局に該ターゲット・アップリンク・データを繰り返し送信するように構成される回数を示し、
該ターゲット送信ブロック・サイズが、該ランダム・アクセス手順中に該ユーザ機器が該基地局に該ターゲット・アップリンク・データを送信するためのものであり、
該ランダム・アクセス手順中に、該ターゲット送信繰り返し数に従って該ユーザ機器によって送信された該ターゲット・アップリンク・データを受信する
ように構成される、基地局。
【請求項２３】
データを送信するためのシステムであって、請求項１９に記載の、データを送信するための装置と、請求項２０に記載の、データを送信するための装置とを備えるシステム。
【請求項２４】
コンピュータ・プログラムが記憶されたコンピュータ可読記憶媒体であって、
該記憶されたコンピュータ・プログラムが処理構成要素によって実行されるとき、請求項１から１１のいずれか一項に記載の、データを送信する方法が実施される、または
該記憶されたコンピュータ・プログラムが該処理構成要素によって実行されるとき、請求項１２から１８のいずれか一項に記載の、データを送信する方法が実施される、
コンピュータ可読記憶媒体。
【発明の詳細な説明】
【技術分野】
【０００１】
本開示は、ワイヤレス通信技術の分野に関し、より詳細には、データを送信するための方法、装置、およびシステム、ならびに記憶媒体に関する。
【背景技術】
【０００２】
ワイヤレス通信技術の発展とともに、モノのインターネットは、人々の日常生活でますます一般的になっている。いわゆるモノのインターネットは、その名前が示唆するように、モノをモノに接続する通信ネットワークである。具体的には、２つのタイプのモノのインターネット技術すなわちナローバンド・モノのインターネット（ＮＢ−ＩｏＴ）およびマシン・タイプ通信（ＭＴＣ）は、適用例において非常に有望である。
【０００３】
送信遅延を減少させるために、ＮＢ−ＩｏＴとＭＴＣの両方は、ランダム・アクセス手順中にユーザ機器（ＵＥ）がアップリンク・データを送信することができる早期データ送信（ＥＤＴ）技術とともに導入されることがある。
【０００４】
一般的には、ＮＢ−ＩｏＴまたはＭＴＣにおける一部のアップリンク・データに対して、ＵＥは、モノのインターネットのカバレッジ能力を保証するように基地局にアップリンク・データを繰り返し送信するように構成される。したがって、どのようにしてＵＥが基地局にアップリンク・データを繰り返し送信するかは、ＥＤＴ技術において解決されるべき差し迫った問題になっている。
【発明の概要】
【発明が解決しようとする課題】
【０００５】
本開示は、ＥＤＴ技術における、どのようにしてユーザ機器が基地局にアップリンク・データを繰り返し送信するかという問題を解決することができる、データを送信するための方法、装置、およびシステム、ならびに記憶媒体を提供する。
【課題を解決するための手段】
【０００６】
本開示の実施形態の第１の態様によれば、データを送信する方法は、
ランダム・アクセス手順中にユーザ機器が基地局にターゲット・アップリンク・データを送信するように要求することを示すために、ターゲット・ランダム・アクセス・プリアンブルを基地局に送ることと、
ターゲット・ランダム・アクセス・プリアンブルに基づいて基地局によって送られ、繰り返し数標識情報を搬送するターゲット・ランダム・アクセス応答を受信することと、
ターゲット送信繰り返し数に従って、ランダム・アクセス手順中に基地局にターゲット・アップリンク・データを送信することと
を含み、
ターゲット送信繰り返し数は、ランダム・アクセス手順中にユーザ機器が基地局にターゲット・アップリンク・データを繰り返し送信するように構成される回数を示し、ターゲット送信繰り返し数は、繰り返し数標識情報およびターゲット送信ブロック・サイズに基づいて決定され、ターゲット送信ブロック・サイズは、ランダム・アクセス手順中にユーザ機器が基地局にターゲット・アップリンク・データを送信するためのものである。
【０００７】
一実施形態では、対応関係の少なくとも１つのセットがユーザ機器内に記憶され、対応関係の少なくとも１つのセットの各々は、送信ブロック・サイズと送信繰り返し数との間の少なくとも１つの対応関係を含み、ターゲット送信繰り返し数に従ってランダム・アクセス手順中に基地局にターゲット・アップリンク・データを送信する前に、方法は、
繰り返し数標識情報に基づいて、対応関係の少なくとも１つのセットから対応関係のターゲット・セットを決定することと、
ターゲット送信ブロック・サイズに対応する送信繰り返し数を取得するために、ターゲット送信ブロック・サイズに基づいて対応関係のターゲット・セットを問い合わせることと、
ターゲット送信ブロック・サイズに対応する送信繰り返し数をターゲット送信繰り返し数として決定することと
をさらに含む。
【０００８】
一実施形態では、対応関係の少なくとも１つのセットは、上位層シグナリングを通じてユーザ機器に基地局によって送られる。
【０００９】
一実施形態では、対応関係のセットは、
互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００１０】
一実施形態では、繰り返し数標識情報は、第３の送信ブロック・サイズに対応する第３の送信繰り返し数を示し、ターゲット送信繰り返し数に従ってランダム・アクセス手順中に基地局にターゲット・アップリンク・データを送信する前に、方法は、
ターゲット送信ブロック・サイズ、第３の送信ブロック・サイズ、および第３の送信繰り返し数に基づいて、ターゲット送信繰り返し数を決定すること
をさらに含む。
【００１１】
一実施形態では、第３の送信繰り返し数は送信繰り返し数のセットに含まれ、送信繰り返し数のセットは、通信プロトコルによってサポートされる送信繰り返し数のうちの少なくとも１つを含み、上位層シグナリングを通じてユーザ機器に基地局によって送られる。
【００１２】
一実施形態では、ターゲット送信ブロック・サイズ、第３の送信ブロック・サイズ、および第３の送信繰り返し数に基づいて、ターゲット送信繰り返し数を決定することは、
第３の送信ブロック・サイズに対するターゲット送信ブロック・サイズの相対的関係に基づいて、第３の送信繰り返し数に対するターゲット送信繰り返し数の第１の相対的関係を決定することと、
第１の相対的関係および第３の送信繰り返し数に基づいて、ターゲット送信繰り返し数を決定することと
を含む。
【００１３】
一実施形態では、ターゲット送信ブロック・サイズ、第３の送信ブロック・サイズ、および第３の送信繰り返し数に基づいて、ターゲット送信繰り返し数を決定することは、
第３の送信ブロック・サイズに対するターゲット送信ブロック・サイズの相対的関係に基づいて、第３の送信繰り返し数に対する基準送信繰り返し数の第２の相対的関係を決定することと、
第２の相対的関係および第３の送信繰り返し数に基づいて、基準送信繰り返し数を決定することと、
基準送信繰り返し数に基づいて、ターゲット送信繰り返し数を決定することと
を含む。
【００１４】
一実施形態では、基準送信繰り返し数に基づいてターゲット送信繰り返し数を決定することは、
基準送信繰り返し数に基づいて、ターゲット送信繰り返し数を決定することであって、このターゲット送信繰り返し数は、値のターゲット・セットの中の、基準送信繰り返し数からの最小差を有する値であり、この値のターゲット・セットは少なくとも１つの値を含み、少なくとも１つの値の各々は、第１のあらかじめ設定された値の整数倍または第２のあらかじめ設定された値の整数乗である、決定すること
を含む。
【００１５】
一実施形態では、基準送信繰り返し数に基づいてターゲット送信繰り返し数を決定することは、
基準送信繰り返し数に基づいて、ターゲット送信繰り返し数を決定することであって、ターゲット送信繰り返し数は、基準送信繰り返し数からの最小差を有する通信プロトコルによってサポートされる送信繰り返し数のうちの１つである、決定すること
を含む。
【００１６】
一実施形態では、繰り返し数標識情報は、ターゲット・ランダム・アクセス応答のためのアップリンク・スケジューリング・グラント内で搬送される。
【００１７】
本開示の実施形態の第２の態様によれば、データを送信する方法は、
ユーザ機器によって送られたターゲット・ランダム・アクセス・プリアンブルを受信することであって、このターゲット・ランダム・アクセス・プリアンブルは、ランダム・アクセス手順中にユーザ機器が基地局にターゲット・アップリンク・データを送信するように要求することを示す、受信することと、
ターゲット・ランダム・アクセス・プリアンブルに基づいて、ユーザ機器にターゲット・ランダム・アクセス応答を送ることであって、ターゲット・ランダム・アクセス応答は、ユーザ機器が繰り返し数標識情報およびターゲット送信ブロック・サイズに基づいてターゲット送信繰り返し数を決定するための繰り返し数標識情報を搬送し、ターゲット送信繰り返し数は、ランダム・アクセス手順中にユーザ機器が基地局にターゲット・アップリンク・データを繰り返し送信するように構成される回数を示し、ターゲット送信ブロック・サイズは、ランダム・アクセス手順中にユーザ機器が基地局にターゲット・アップリンク・データを送信するためのものである、送ることと、
ランダム・アクセス手順中に、ターゲット送信繰り返し数に従ってユーザ機器によって送信されたターゲット・アップリンク・データを受信することと
を含む。
【００１８】
一実施形態では、繰り返し数標識情報は、ユーザ機器内に記憶される対応関係の少なくとも１つのセットからの対応関係のターゲット・セットを決定するようにユーザ機器に指示するように構成され、対応関係のターゲット・セットは、ユーザ機器が、ターゲット送信ブロック・サイズに対応する送信繰り返し数を取得してターゲット送信繰り返し数として決定するためにターゲット送信ブロック・サイズに基づいて問い合わせるためのものであり、
対応関係の少なくとも１つのセットの各々は、送信ブロック・サイズと送信繰り返し数との間の少なくとも１つの対応関係を含む。
【００１９】
一実施形態では、対応関係の少なくとも１つのセットは、上位層シグナリングを通じてユーザ機器に基地局によって送られる。
【００２０】
一実施形態では、対応関係のセットは、互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００２１】
一実施形態では、繰り返し数標識情報は、第３の送信ブロック・サイズに対応する第３の送信繰り返し数を示し、第３の送信繰り返し数および第３の送信ブロック・サイズは、ターゲット送信ブロック・サイズと組み合わせて、ユーザ機器がターゲット送信繰り返し数を決定するためのものである。
【００２２】
一実施形態では、第３の送信繰り返し数は、送信繰り返し数のセットに含まれ、この送信繰り返し数のセットは、通信プロトコルによってサポートされる送信繰り返し数のうちの少なくとも１つを含み、上位層シグナリングを通じてユーザ機器に基地局によって送られる。
【００２３】
一実施形態では、繰り返し数標識情報は、ターゲット・ランダム・アクセス応答のためのアップリンク・スケジューリング・グラント内で搬送される。
【００２４】
本開示の実施形態の第３の態様によれば、データを送信するための装置は、
ランダム・アクセス手順中にユーザ機器が基地局にターゲット・アップリンク・データを送信するように要求することを示すために、基地局にターゲット・ランダム・アクセス・プリアンブルを送るように構成された第１の送出モジュールと、
ターゲット・ランダム・アクセス・プリアンブルに基づいて基地局によって送られ、繰り返し数標識情報を搬送するターゲット・ランダム・アクセス応答を受信するように構成された受信モジュールと、
ターゲット送信繰り返し数に従って、ランダム・アクセス手順中に基地局にターゲット・アップリンク・データを送信するように構成された第２の送出モジュールと
を含み、
ターゲット送信繰り返し数は、ランダム・アクセス手順中にユーザ機器が基地局にターゲット・アップリンク・データを繰り返し送信するように構成される回数を示し、ターゲット送信繰り返し数は、繰り返し数標識情報およびターゲット送信ブロック・サイズに基づいて決定され、ターゲット送信ブロック・サイズは、ランダム・アクセス手順中にユーザ機器が基地局にターゲット・アップリンク・データを送信するためのものである。
【００２５】
一実施形態では、対応関係の少なくとも１つのセットはユーザ機器内に記憶され、対応関係の少なくとも１つのセットの各々は、送信ブロック・サイズと送信繰り返し数との間の少なくとも１つの対応関係を含み、装置は、
繰り返し数標識情報に基づいて対応関係の少なくとも１つのセットから対応関係のターゲット・セットを決定するように構成されたセット決定サブモジュールと、
ターゲット送信ブロック・サイズに対応する送信繰り返し数を取得するためにターゲット送信ブロック・サイズに基づいて対応関係のターゲット・セットを問い合わせるように構成された問い合わせサブモジュールと、
ターゲット送信ブロック・サイズに対応する送信繰り返し数をターゲット送信繰り返し数として決定するように構成された第１の数決定サブモジュールと
を含む第１の数決定モジュールをさらに含む。
【００２６】
一実施形態では、対応関係の少なくとも１つのセットは、上位層シグナリングを通じてユーザ機器に基地局によって送られる。
【００２７】
一実施形態では、対応関係のセットは、
互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００２８】
一実施形態では、繰り返し数標識情報は、第３の送信ブロック・サイズに対応する第３の送信繰り返し数を示し、装置は、ターゲット送信ブロック・サイズ、第３の送信ブロック・サイズ、および第３の送信繰り返し数に基づいて、ターゲット送信繰り返し数を決定するように構成された第２の数決定モジュールをさらに含む。
【００２９】
一実施形態では、第３の送信繰り返し数は送信繰り返し数のセットに含まれ、送信繰り返し数のセットは、通信プロトコルによってサポートされる送信繰り返し数のうちの少なくとも１つを含み、上位層シグナリングを通じてユーザ機器に基地局によって送られる。
【００３０】
一実施形態では、第２の数決定モジュールは、
第３の送信ブロック・サイズに対するターゲット送信ブロック・サイズの相対的関係に基づいて第３の送信繰り返し数に対するターゲット送信繰り返し数の第１の相対的関係を決定するように構成された第１の関係決定サブモジュールと、
第１の相対的関係および第３の送信繰り返し数に基づいてターゲット送信繰り返し数を決定するように構成された第２の数決定サブモジュールと
を含む。
【００３１】
一実施形態では、第２の数決定モジュールは、
第３の送信ブロック・サイズに対する基準送信繰り返し数の相対的関係に基づいて第３の送信繰り返し数に対するターゲット送信ブロック・サイズの第２の相対的関係を決定するように構成された第２の関係決定サブモジュールと、
第２の相対的関係および第３の送信繰り返し数に基づいて基準送信繰り返し数を決定するように構成された第３の数決定サブモジュールと、
基準送信繰り返し数に基づいてターゲット送信繰り返し数を決定するように構成された第４の数決定サブモジュールと
を含む。
【００３２】
一実施形態では、第４の数決定サブモジュールは、基準送信繰り返し数に基づいて、値のターゲット・セットの中の、基準送信繰り返し数からの最小差を有する値である、ターゲット送信繰り返し数を決定するようにさらに構成され、値のターゲット・セットは少なくとも１つの値を含み、少なくとも１つの値の各々は、第１のあらかじめ設定された値の整数倍または第２のあらかじめ設定された値の整数乗である。
【００３３】
一実施形態では、第４の数決定サブモジュールは、基準送信繰り返し数に基づいて、基準送信繰り返し数からの最小差を有する通信プロトコルによってサポートされる送信繰り返し数のうちの１つであるターゲット送信繰り返し数を決定するようにさらに構成される。
【００３４】
一実施形態では、繰り返し数標識情報は、ターゲット・ランダム・アクセス応答のためのアップリンク・スケジューリング・グラント内で搬送される。
【００３５】
本開示の実施形態の第４の態様によれば、データを送信するための装置は、
ユーザ機器によって送られたターゲット・ランダム・アクセス・プリアンブルを受信するように構成された第１の受信モジュールであって、このターゲット・ランダム・アクセス・プリアンブルは、ランダム・アクセス手順中にユーザ機器が基地局にターゲット・アップリンク・データを送信するように要求することを示す、第１の受信モジュールと、
ターゲット・ランダム・アクセス・プリアンブルに基づいて、ユーザ機器にターゲット・ランダム・アクセス応答を送るように構成された送出モジュールであって、ターゲット・ランダム・アクセス応答は、ユーザ機器が繰り返し数標識情報およびターゲット送信ブロック・サイズに基づいてターゲット送信繰り返し数を決定するための繰り返し数標識情報を搬送し、ターゲット送信繰り返し数は、ランダム・アクセス手順中にユーザ機器が基地局にターゲット・アップリンク・データを繰り返し送信するように構成される回数を示し、ターゲット送信ブロック・サイズは、ランダム・アクセス手順中にユーザ機器が基地局にターゲット・アップリンク・データを送信するためのものである、送出モジュールと、
ランダム・アクセス手順中に、ターゲット送信繰り返し数に従ってユーザ機器によって送信されたターゲット・アップリンク・データを受信するように構成された第２の受信モジュールと
を含む。
【００３６】
一実施形態では、繰り返し数標識情報は、ユーザ機器内に記憶される対応関係の少なくとも１つのセットからの対応関係のターゲット・セットを決定するようにユーザ機器に指示するように構成され、対応関係のターゲット・セットは、ユーザ機器が、ターゲット送信ブロック・サイズに対応する送信繰り返し数を取得してターゲット送信繰り返し数として決定するためにターゲット送信ブロック・サイズに基づいて問い合わせるためのものであり、
対応関係の少なくとも１つのセットの各々は、送信ブロック・サイズと送信繰り返し数との間の少なくとも１つの対応関係を含む。
【００３７】
一実施形態では、対応関係の少なくとも１つのセットは、上位層シグナリングを通じてユーザ機器に基地局によって送られる。
【００３８】
一実施形態では、対応関係のセットは、
互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００３９】
一実施形態では、繰り返し数標識情報は、第３の送信ブロック・サイズに対応する第３の送信繰り返し数を示し、第３の送信繰り返し数および第３の送信ブロック・サイズは、ターゲット送信ブロック・サイズと組み合わせて、ユーザ機器がターゲット送信繰り返し数を決定するためのものである。
【００４０】
一実施形態では、第３の送信繰り返し数は送信繰り返し数のセットに含まれ、送信繰り返し数のセットは、通信プロトコルによってサポートされる送信繰り返し数のうちの少なくとも１つを含み、上位層シグナリングを通じてユーザ機器に基地局によって送られる。
【００４１】
一実施形態では、繰り返し数標識情報は、ターゲット・ランダム・アクセス応答のためのアップリンク・スケジューリング・グラント内で搬送される。
【００４２】
本開示の実施形態の第５の態様によれば、ユーザ機器は、
プロセッサと、
このプロセッサによって実行可能である命令を記憶するためのメモリと
を含み、
プロセッサは、
ランダム・アクセス手順中にユーザ機器が基地局にターゲット・アップリンク・データを送信するように要求することを示すために、基地局にターゲット・ランダム・アクセス・プリアンブルを送り、
ターゲット・ランダム・アクセス・プリアンブルに基づいて基地局によって送られ、繰り返し数標識情報を搬送するターゲット・ランダム・アクセス応答を受信し、
ターゲット送信繰り返し数に従って、ランダム・アクセス手順中に基地局にターゲット・アップリンク・データを送信する
ように構成され、
ターゲット送信繰り返し数は、ランダム・アクセス手順中にユーザ機器が基地局にターゲット・アップリンク・データを繰り返し送信するように構成される回数を示し、ターゲット送信繰り返し数は、繰り返し数標識情報およびターゲット送信ブロック・サイズに基づいて決定され、ターゲット送信ブロック・サイズは、ランダム・アクセス手順中にユーザ機器が基地局にターゲット・アップリンク・データを送信するためのものである。
【００４３】
本開示の実施形態の第６の態様によれば、基地局は、
プロセッサと、
このプロセッサによって実行可能である命令を記憶するためのメモリと
を含み、
プロセッサは、
ユーザ機器によって送られたターゲット・ランダム・アクセス・プリアンブルを受信し、このターゲット・ランダム・アクセス・プリアンブルは、ランダム・アクセス手順中にユーザ機器が基地局にターゲット・アップリンク・データを送信するように要求することを示し、
ターゲット・ランダム・アクセス・プリアンブルに基づいて、ユーザ機器にターゲット・ランダム・アクセス応答を送り、このターゲット・ランダム・アクセス応答は、ユーザ機器が繰り返し数標識情報およびターゲット送信ブロック・サイズに基づいてターゲット送信繰り返し数を決定するための繰り返し数標識情報を搬送し、ターゲット送信繰り返し数は、ランダム・アクセス手順中にユーザ機器が基地局にターゲット・アップリンク・データを繰り返し送信するように構成される回数を示し、ターゲット送信ブロック・サイズは、ランダム・アクセス手順中にユーザ機器が基地局にターゲット・アップリンク・データを送信するためのものであり、
ランダム・アクセス手順中に、ターゲット送信繰り返し数に従ってユーザ機器によって送信されたターゲット・アップリンク・データを受信する
ように構成される。
【００４４】
本開示の実施形態の第７の態様によれば、データを送信するためのシステムは、上記の第３の態様において説明されたデータを送信するための任意の装置と、上記の第４の態様において説明されたデータを送信するための任意の装置とを含む。
【００４５】
本開示の実施形態の第８の態様によれば、コンピュータ・プログラムが記憶されコンピュータ可読記憶媒体が提供され、記憶されたコンピュータ・プログラムが処理構成要素によって実行されるとき、上記の第１の態様において説明された、データを送信する任意の方法が実施可能である、または、
記憶されたコンピュータ・プログラムが処理構成要素によって実行されるとき、上記の第２の態様において説明された、データを送信する任意の方法が実施可能である。
【００４６】
本開示の実施形態により提供される技術的解決策は、少なくとも以下の有益な効果を取得し得る。
【００４７】
基地局によって送られるターゲット・ランダム・アクセス応答内で搬送され繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲット送信ブロック・サイズに基づいて決定される場合、ＥＤＴ技術におけるユーザ機器は、基地局にターゲット・アップリンク・データを繰り返し送信し、それによって、ＥＤＴ技術ではどのようにしてユーザ機器が基地局にアップリンク・データを繰り返し送信するかという問題を解決することができる。
【００４８】
上記の概略的な説明および以下の詳細な説明は、例示および説明にすぎず、本開示を制限することを意図したものではないことを理解されたい。
【図面の簡単な説明】
【００４９】
本明細書に組み込まれ、その一部を構成する添付の図面は、本開示に一致する実施形態を示し、さらには、説明とともに、本開示の原理を説明する役割を果たす。
【図１】一例による実装環境を示す概略図である。
【図２】一例による、データを送信する方法を示すフローチャートである。
【図３】一例による、データを送信する方法を示すフローチャートである。
【図４】一例による、データを送信する方法を示すフローチャートである。
【図５】一例による、データを送信するための装置を示すブロック図である。
【図６】一例による、データを送信するための装置を示すブロック図である。
【図７】一例による、データを送信するための装置を示すブロック図である。
【図８】一例による、データを送信するための装置を示すブロック図である。
【図９】一例による、データを送信するためのデバイスを示すブロック図である。
【図１０】一例による、データを送信するためのデバイスを示すブロック図である。
【図１１】一例による、データを送信するためのシステムを示すブロック図である。
【発明を実施するための形態】
【００５０】
本開示の目的、技術的解決策、および利点をより明らかにするために、本開示の実施形態は、以下で添付の図面を参照しながら詳細にさらに説明される。
【００５１】
例示的な実施形態は、図面において表現されるその例とともに、ここで詳細に説明される。以下の説明が図面に関係するとき、異なる図面における同じ数字は、別段に示されない限り、同じまたは類似した要素を指す。以下の例示的な実施形態において説明される実装形態は、本開示に一致するすべての実装形態を表すとは限らない。むしろ、以下の例示的な実施形態において説明される実装形態は、添付の請求の範囲において詳述される本開示のいくつかの態様に一致する装置および方法の例にすぎない。
【００５２】
ＮＢ−ＩｏＴおよびＭＴＣは、２つのタイプのモノのインターネット技術として、低い電量消費量と広いエリアをもつ通信サービスに重点を置く。
【００５３】
カバレッジ能力を高めるために、ＵＥが基地局に何らかのアップリンク・データを繰り返し送信するように構成される送信繰り返し機構が、ＮＢ−ＩｏＴとＭＴＣの両方で導入されている。いくつかの実施形態では、最大減衰量（ＭＣＬ）は通常、カバレッジ能力を特徴づけるために適用され、ＮＢ−ＩｏＴの場合は最大１６４ｄｂ、ＭＴＣの場合は１５５．７ｄｂである。
【００５４】
さらに、送信遅延を減少させるために、ＮＢ−ＩｏＴとＭＴＣの両方が、ＥＤＴ技術とともに導入されることがあり、ＵＥは、ランダム・アクセス手順中にアップリンク・データを送信することができる。
【００５５】
しかしながら、現在、どのようにしてＥＤＴ技術において送信繰り返し機構を導入するか、すなわち、どのようにしてＥＤＴ技術においてＵＥにアップリンク・データを基地局に繰り返し送信させるかは、解決されるべき差し迫った問題になっている。
【００５６】
本開示の実施形態は、ＥＤＴ技術における、どのようにしてＵＥが基地局にアップリンク・データを繰り返し送信するかという問題を解決するために、データを送信する方法を提供する。データを送信する方法では、基地局は、ターゲット・ランダム・アクセス応答を通じてＵＥに繰り返し数標識情報を送ってよく、ＵＥは、繰り返し数標識情報およびターゲット送信ブロック・サイズ（ＴＢＳ）に基づいてターゲット送信繰り返し数を決定してよい。いくつかの実施形態では、ターゲット送信繰り返し数は、ＵＥが基地局にターゲット・アップリンク・データを繰り返し送信するように構成される回数を示し、このターゲット・アップリンク・データはランダム・アクセス手順中にＵＥによって送信され、ＵＥは、ターゲットＴＢＳ内で基地局にターゲット・アップリンク・データを送信する。次いで、ＵＥは、ＥＤＴ技術においてＵＥがアップリンク・データを繰り返し送信することを実現するように、ターゲット送信繰り返し数に従って、ランダム・アクセス手順中に基地局にターゲット・アップリンク・データを送信することがある。
【００５７】
本開示の実施形態による、データを送信する方法の実装環境は、以下のように説明される。
【００５８】
図１は、本開示の例による、データを送信する方法の実装環境を示す概略図である。図１に示されるように、実装環境に含まれる基地局１０とＵＥ２０があることがある。ＵＥ２０は、基地局１０によってサービスされるセル内のＵＥのいずれか１つである。基地局１０およびＵＥ２０は、ＮＢ−ＩｏＴ通信プロトコルまたはＭＴＣ通信プロトコルに基づいてデータ送信を実行し得る。
【００５９】
図２は、一例による、データを送信する方法を示すフローチャートである。図２に示されるように、データを送信する方法は、図１に示されるＵＥ２０に適用可能であり、以下のステップを含む。
【００６０】
ステップ２０１では、ＵＥが、基地局にターゲット・ランダム・アクセス・プリアンブルを送る。
【００６１】
ターゲット・ランダム・アクセス・プリアンブルは、ランダム・アクセス手順中にＵＥが基地局にターゲット・アップリンク・データを送信するように要求することを示す。言い換えれば、ターゲット・ランダム・アクセス・プリアンブルは、ＵＥが、ＥＤＴ技術を利用して基地局にターゲット・アップリンク・データを送信するように構成されることを示す。
【００６２】
ステップ２０２では、ＵＥが、ターゲット・ランダム・アクセス応答を受信し、このターゲット・ランダム・アクセス応答は、ターゲット・ランダム・アクセス・プリアンブルに基づいて基地局によって送られ、繰り返し数標識情報を搬送する。
【００６３】
ステップ２０３では、ＵＥが、ターゲット送信繰り返し数に従って、ランダム・アクセス手順中に基地局にターゲット・アップリンク・データを送信する。
【００６４】
いくつかの実施形態では、ターゲット送信繰り返し数は、ランダム・アクセス手順中にＵＥが基地局にターゲット・アップリンク・データを繰り返し送信するように構成される回数を示し、ターゲット送信繰り返し数は、繰り返し数標識情報およびターゲットＴＢＳに基づいて、ＵＥによって決定される。ターゲットＴＢＳは、ランダム・アクセス手順中にＵＥが基地局にターゲット・アップリンク・データを送信するためのものである。
【００６５】
前述の説明から、本開示の実施形態によって提供されるデータを送信する方法によれば、基地局によって送られるターゲット・ランダム・アクセス応答内で搬送される繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲットＴＢＳに基づいて決定される場合、ＥＤＴ技術におけるＵＥは、基地局にターゲット・アップリンク・データを繰り返し送信し、それによって、ＥＤＴ技術における、どのようにしてＵＥが基地局にアップリンク・データを繰り返し送信するかという問題を解決することができる。
【００６６】
図３は、一例による、データを送信する方法を示すフローチャートである。図３に示されるように、データを送信する方法は、図１に示される基地局１０に適用可能であり、以下のステップを含む。
【００６７】
ステップ３０１では、基地局が、ＵＥによって送られたターゲット・ランダム・アクセス・プリアンブルを受信する。
【００６８】
ターゲット・ランダム・アクセス・プリアンブルは、ランダム・アクセス手順中にＵＥが基地局にターゲット・アップリンク・データを送信するように要求することを示す。言い換えれば、ターゲット・ランダム・アクセス・プリアンブルは、ＵＥが、ＥＤＴ技術を利用して基地局にターゲット・アップリンク・データを送信するように構成されることを示す。
【００６９】
ステップ３０２では、基地局が、ターゲット・ランダム・アクセス・プリアンブルに基づいて、ＵＥにターゲット・ランダム・アクセス応答を送る。ターゲット・ランダム・アクセス応答は、繰り返し数標識情報を搬送する。
【００７０】
いくつかの実施形態では、繰り返し数標識情報は、ＵＥが繰り返し数標識情報およびターゲットＴＢＳに基づいてターゲット送信繰り返し数決定するために使用される。ターゲット送信繰り返し数は、ランダム・アクセス手順中にＵＥが基地局にターゲット・アップリンク・データを繰り返し送信するように構成される回数を示す。ターゲットＴＢＳは、ランダム・アクセス手順中にＵＥが基地局にターゲット・アップリンク・データを送信するためのものである。
【００７１】
ステップ３０３では、基地局が、ランダム・アクセス手順中にターゲット・アップリンク・データを受信する。ターゲット・アップリンク・データは、ターゲット送信繰り返し数に従ってＵＥによって送信される。
【００７２】
前述の説明から、本開示の実施形態によって提供されるデータを送信する方法によれば、ターゲット・ランダム・アクセス応答内で搬送される繰り返し数標識情報をＵＥに送ることによって、ＵＥは、ターゲット送信繰り返し数に従って、ランダム・アクセス手順中に基地局にターゲット・アップリンク・データを送信することができ、ターゲット送信繰り返し数が、ＵＥによって繰り返し数標識情報およびターゲットＴＢＳに基づいて決定され、したがって、ＥＤＴ技術におけるＵＥが、基地局にターゲット・アップリンク・データを繰り返し送信し、それによって、ＥＤＴ技術における、いかにしてＵＥが基地局にアップリンク・データを繰り返し送信するかという問題を解決することができる。
【００７３】
図４は、一例による、データを送信する方法を示すフローチャートである。図４に示されるように、データを送信する方法は、図１に示される実装環境に適用可能であり、以下のステップを含む。
【００７４】
ステップ４０１では、基地局は、現在のランダム・アクセス手順中に送信されることが可能な最大データ・パケットのサイズをブロードキャストする。
【００７５】
ＥＤＴ技術では、現在のネットワークのカバレッジ能力に従って、基地局は、現在のＥＤＴによってサポートされる最大データ・パケットのサイズ、すなわち、現在のランダム・アクセス手順中に送信されることが可能な最大データ・パケットの前述のサイズとして、通信プロトコルによってサポートされる最大ＥＤＴデータ・パケットのセットから１つの要素を選択し得る。最大ＥＤＴデータ・パケットのセットは、通信プロトコルによってサポートされる少なくとも１つの最大データ・パケットのサイズを含む。次いで、基地局は、ブロードキャストによって基地局によってサービスされるセル内のＵＥに現在のランダム・アクセス手順中に送信されることが可能な最大データ・パケットのサイズを送り得る。いくつかの実施形態では、現在のランダム・アクセス手順中に送信されることが可能な最大データ・パケットのサイズは、ＵＥが現在ランダム・アクセス手順中に基地局に送ることが可能であるデータの最大量のサイズを意味する。上述の通信プロトコルは、ＮＢ−ＩｏＴ通信プロトコルであってもよいし、ＭＴＣ通信プロトコルであってもよい。
【００７６】
実際の実装形態では、基地局によって選択される最大データ・パケットのサイズは、現在のネットワークのカバレッジ・キャパシティと正に相関し得る、すなわち、現在のネットワークのカバレッジ・キャパシティが強力であるほど、基地局によって選択される最大データ・パケットのサイズは大きくすることができる。一般的には、通信プロトコルによってサポートされる最大データ・パケットのサイズとしては、１０００ビット、９３６ビット、８０８ビット、６８０ビット、５８４ビット、５０４ビット、４０８ビット、３２８ビットなどがあり得る。
【００７７】
現在のランダム・アクセス手順中に送信されることが可能な最大データ・パケットのサイズをブロードキャストする以外に、基地局は、ターゲット・アップリンク・リソースの時間周波数位置をブロードキャストすることがある。ターゲット・アップリンク・リソースは、ランダム・アクセス・チャネル上で搬送され、ランダム・アクセス手順中にアップリンク・データを送信するように要求するためにランダム・アクセス・プリアンブルを搬送することができる。
【００７８】
ランダム・アクセス・プリアンブルは、一般に、ランダム・アクセス手順のメッセージ１として呼ばれることもあることに留意されたい。ＮＢ−ＩｏＴ通信プロトコルでは、ランダム・アクセス・チャネルは、通常、ＮＢ−ＩｏＴ物理ランダム・アクセス・チャネル（ＮＰＲＡＣＨ）と呼ばれることがある。
【００７９】
ステップ４０２では、ＵＥによって送信されることになるデータ・パケットのサイズが、現在のランダム・アクセス手順中に送信されることが可能な最大データ・パケットのサイズよりも大きくないとき、ＵＥが、基地局にターゲット・ランダム・アクセス・プリアンブルを送る。
【００８０】
基地局によってブロードキャストされる、現在のランダム・アクセス手順中に送信されることが可能な最大データ・パケットのサイズを受信した後、ＵＥは、それ自体によって送信されることになるデータ・パケットのサイズが、現在のランダム・アクセス手順中に送信されることが可能な最大データ・パケットのサイズよりも大きいかどうかを決定することができる。
【００８１】
ＵＥによって送信されることになるデータ・パケットのサイズが、現在のランダム・アクセス手順中に送信されることが可能な最大データ・パケットのサイズよりも大きいとき、それは、ＵＥが、ランダム・アクセス手順中にそれ自体によって送信されることになるデータ・パケットを送信することが可能でないことを意味する。この場合、ＵＥは、従来のランダム・アクセスを実行し、ランダム・アクセスが成功した後、ＵＥによって送信されることになるデータ・パケットを基地局に送信する。
【００８２】
ＵＥによって送信されることになるデータ・パケットのサイズが、現在のランダム・アクセス手順中に送信されることが可能な最大データ・パケットのサイズよりも大きくないとき、それは、ＵＥが、ランダム・アクセス手順中にそれ自体によって送信されることになるデータ・パケットを送信することが可能であることを意味する。この場合、ＵＥは、基地局によってブロードキャストされるその時間周波数位置に基づいてターゲット・アップリンク・リソースを決定し、ターゲット・アップリンク・リソースを通じて基地局にターゲット・ランダム・アクセス・プリアンブルを送ることがある。ターゲット・ランダム・アクセス・プリアンブルは、ランダム・アクセス手順中にターゲット・アップリンク・データを送信するために基地局に適用するように構成される。言い換えれば、ターゲット・ランダム・アクセス・プリアンブルは、ＵＥが、ランダム・アクセス手順中に基地局にターゲット・アップリンク・データを送信するように要求することを示す。いわゆるターゲット・アップリンク・データは、ここでは、上記で説明されたように、ＵＥによって送信されることになるデータ・パケットである。
【００８３】
ステップ４０３では、基地局は、ＵＥによって送られるターゲット・ランダム・アクセス・プリアンブルを受信した後、ターゲット・ランダム・アクセス・プリアンブルに基づいて、ＵＥにターゲット・ランダム・アクセス応答を送る。ターゲット・ランダム・アクセス応答は、繰り返し数標識情報を搬送する。
【００８４】
ターゲット・アップリンク・リソース上でターゲット・ランダム・アクセス・プリアンブルを受信した後、基地局は、ＵＥがランダム・アクセス手順中にターゲット・アップリンク・データを送信するように構成されると決定することがある。この場合、基地局は、ＵＥにターゲット・ランダム・アクセス応答（ＲＡＲ）を送ることがある。ターゲット・ランダム・アクセス応答は、繰り返し数標識情報を搬送することがある。本開示の１つまたは複数の実施形態では、ターゲット・ランダム・アクセス応答は、アップリンク・リソース標識情報も搬送することがある。ランダム・アクセス応答は、一般に、ランダム・アクセス手順のメッセージ２とも呼ばれることがあることに留意されたい。
【００８５】
アップリンク・リソース標識情報は、単一のターゲット・アップリンク・データ・パケットを送信するために基地局によってＵＥに割り当てられるアップリンク・リソースのサイズを示すことがある。アップリンク・リソースのサイズは、リソース・ユニット（ＲＵ）の数によって特徴づけられ得る。本開示の１つまたは複数の実施形態では、アップリンク・リソース標識情報は、ターゲット・ランダム・アクセス応答のためのアップリンク・スケジューリング・グラント（ＵＬグラント）内で搬送されることがある。１つまたは複数の実施形態では、アップリンク・リソース標識情報は、アップリンク・スケジューリング・グラントの変調符号化方式フィールド内の３ビットを占有することがある。
【００８６】
表１は、本開示の一実施形態による、現在のランダム・アクセス手順中に送信されることが可能な最大データ・パケットのサイズが１０００ビットであるときの、アップリンク・リソース標識情報とＲＵの数との間の例示的な対応関係を示す。
【表１】
2021525022.tif 000003
【００８７】
表１に示されるように、現在のランダム・アクセス手順中に送信されることが可能な最大データ・パケットのサイズが１０００ビットである環境下で、アップリンク・リソース標識情報が「０１１」であるとき、単一のターゲット・アップリンク・データ・パケットを送信するために基地局によってＵＥに割り当てられるアップリンク・リソースは３ＲＵであることが示される。
【００８８】
本開示の１つまたは複数の実施形態では、前述の繰り返し数標識情報も、ターゲット・ランダム・アクセス応答のためのアップリンク・スケジューリング・グラント内で搬送されることがある。繰り返し数標識情報に基づいて、ＵＥは、ＵＥがランダム・アクセス手順中に基地局にターゲット・アップリンク・データを繰り返し送信するように構成される回数を決定することがあり、これは、以下のステップで説明される。
【００８９】
ステップ４０４では、ＵＥが、基地局によって送られたターゲット・ランダム・アクセス応答を受信した後、ターゲットＴＢＳを決定する。
【００９０】
具体的には、ターゲットＴＢＳは、ＵＥがランダム・アクセス手順中に基地局にターゲット・アップリンク・データを送信するためのものである。
【００９１】
基地局によって送られたターゲット・ランダム・アクセス応答を受信した後、ＵＥは、基地局はランダム・アクセス手順中にＵＥがターゲット・アップリンク・データを送信することを可能にすると決定する。この場合、ＵＥは、それ自体によって送信されることになるデータ・パケットのサイズ、すなわち、ターゲット・アップリンク・データのサイズに基づいて、ターゲットＴＢＳを決定し得る。１つまたは複数の実施形態では、ターゲットＴＢＳは、ＵＥに利用可能なＴＢＳの中で、ＵＥによって送信されることになるデータ・パケットのサイズよりも大きいが、これからの最小差を有する。たとえば、現在のランダム・アクセス手順中に送信されることが可能な最大パケットのサイズが１０００ビットである場合、ＵＥに利用可能なＴＢＳは全部で４つある。３２８ビット、５３６ビット、７７６ビット、および１０００ビットである。ＵＥによって送信されることになるデータ・パケットのサイズが５００ビットである場合、ＵＥは、５３６ビットをターゲットＴＢＳとして決定し得る。
【００９２】
１つまたは複数の実施形態では、ＵＥは、基地局によってブロードキャストされ現在のランダム・アクセス手順中に送信されることが可能である最大データ・パケットのサイズ、すなわち、現在のＥＤＴによってサポートされる最大データ・パケットのサイズに基づいて、その利用可能なＴＢＳを決定することがある。表２は、本開示の一実施形態による、最大データ・パケットのサイズとＵＥに利用可能なＴＢＳとの間の対応関係の表である。
【表２】
2021525022.tif 000004
【００９３】
ターゲットＴＢＳを決定した後、ＵＥは、アップリンク・リソース標識情報によって示されるＲＵの数に基づいて、およびターゲットＴＢＳに基づいて、ターゲット・アップリンク・データのための変調符号化方式を決定し得る。通常、異なる変調符号化方式の下で、各ＲＵが搬送することが可能であるデータの量は、他とは異なる。たとえば、アップリンク・リソース標識情報によって示されるＲＵの数が４である、すなわち、単一のターゲット・アップリンク・データ・パケットを送信するために基地局によってＵＥに割り当てられるアップリンク・リソースが４つのＲＵであるとき、ＵＥは、ＵＥが、１つのＲＵによって搬送されるデータの平均量が８２ビットであり得る、ターゲットＴＢＳが３２８ビットであると決定する場合、４つのＲＵおよび３２８ビットに基づいて、ある変調符号化方式を選択してもよいし、ＵＥが、１つのＲＵによって搬送されるデータの平均量が２５０ビットであり得る、ターゲットＴＢＳが１０００ビットであると決定する場合、４つのＲＵおよび１０００ビットに基づいて、別の変調符号化方式を選択してもよい。
【００９４】
１つまたは複数の実施形態では、ターゲット・アップリンク・データのための変調符号化方式は、４相位相変調（ＱＰＳＫ）、１６直交振幅変調（１６ＱＡＭ）、６４直交振幅変調（６４ＱＡＭ）などであってよく、これらは、本開示の実施形態では具体的に限定されない。
【００９５】
ステップ４０５では、ＵＥが、繰り返し数標識情報およびターゲットＴＢＳに基づいて、ターゲット送信繰り返し数を決定する。
【００９６】
ターゲット送信繰り返し数は、ランダム・アクセス手順中にＵＥが基地局にターゲット・アップリンク・データを繰り返し送信するように構成される回数を示す。
【００９７】
一般に、同一のチャネル状態および割り当てられる同一のリソースの量の下で、ターゲット送信繰り返し数は、ターゲットＴＢＳによって影響され、これと正に相関する、すなわち、ターゲットＴＢＳが大きいほど、ターゲット送信繰り返し数も大きい。その理由は、より大きいターゲットＴＢＳは、ＵＥが基地局にターゲット・アップリンク・データを送信するより大きいビット・レートを必要とし、より大きいビット・レートの場合、ＵＥは、基地局がターゲット・アップリンク・データを正しく受信することができることを保証するために、より多くの回数、ターゲット・アップリンク・データを基地局に繰り返し送信しなければならないからである。さらに、ターゲット送信繰り返し数は、現在のチャネルの品質によっても影響され、これと負に相関する、すなわち、現在のチャネルの品質が優れているほど、ターゲット送信繰り返し数は小さい。その理由は、現在のチャネルの品質が優れているほど、ＵＥがターゲット・アップリンク・データを基地局に繰り返し送信する回数は、基地局がターゲット・アップリンク・データを正しく受信することができることを保証するのに十分なほど小さいからである。
【００９８】
上記に鑑みて、ターゲット送信繰り返し数は、ターゲットＴＢＳだけでなく現在のチャネルの品質によっても影響され、ＵＥにターゲット・ランダム・アクセス応答を送るとき、基地局は、ＵＥによって送信されることになるデータ・パケットのサイズを前もって知ることはできない、すなわち、基地局は、ＵＥによって選択されるターゲットＴＢＳを前もって知ることはできない。その結果、ＵＥは、ターゲットＴＢＳのみに基づいてターゲット送信繰り返し数を決定することはできず、基地局は、繰り返し数標識情報を通じて直接的にターゲット送信繰り返し数を示すことはできない。したがって、本開示のいくつかの実施形態では、ＵＥは、繰り返し数標識情報およびターゲットＴＢＳに基づいてターゲット送信繰り返し数を決定するように構成される。１つまたは複数の実施形態では、繰り返し数標識情報は、現在のチャネルの品質に基づいて基地局によって生成されることがある。
【００９９】
本開示のいくつかの実施形態によれば、ＵＥが繰り返し数標識情報およびターゲットＴＢＳに基づいてターゲット送信繰り返し数を決定するための２つの例示的な手段が提供される。
【０１００】
第１の手段では、ＵＥが、繰り返し数標識情報に基づいて、ＵＥが記憶する対応関係の少なくとも１つのセットから対応関係のターゲット・セットを決定し、次いで、ターゲットＴＢＳに対応する送信繰り返し数を取得してターゲット送信繰り返し数として決定するために、ターゲットＴＢＳに基づいて対応関係のターゲット・セットを問い合わせる。
【０１０１】
このようにして、基地局は、上位層シグナリングを通じて前もってＵＥに対応関係の少なくとも１つのセットを送り得る。特に、対応関係の少なくとも１つのセットの各々は、少なくとも１つの対応関係を含んでよく、この対応関係は、ＴＢＳと送信繰り返し数との間のものである。
【０１０２】
表３は、上位層シグナリングを通じて基地局からＵＥに送られる対応関係の４つの例示的なセットを示す。
【表３】
2021525022.tif 000005
【０１０３】
表３によれば、対応関係のセット１は、４つの対応関係、すなわち、ＴＢＳ１−ｒｅｐ＿１１と、ＴＢＳ２−ｒｅｐ＿２１と、ＴＢＳ３−ｒｅｐ＿３１と、ＴＢＳ４−ｒｅｐ＿４１とを含む。具体的には、ＴＢＳ−ｒｅｐ＿１１は、ＴＢＳ１と送信繰り返し数ｒｅｐ＿１１との間の対応関係であり、他の対応関係は同じルールに従っており、本開示の実施形態では、ここで繰り返されない。
【０１０４】
実際の実装形態では、基地局によってＵＥに送られる対応関係のセットは、第１の対応関係と第２の対応関係とを含んでよい。具体的には、第１の対応関係は、互いに対応する、第１のＴＢＳと第１の送信繰り返し数とを含み、第２の対応関係は、互いに対応する、第２のＴＢＳと数標識情報とを含む。数標識情報は、第１の送信繰り返し数に対する、第２のＴＢＳに対応する第２の送信繰り返し数の相対的関係を示す。１つまたは複数の実施形態では、第１の送信繰り返し数に対する第２の送信繰り返し数の相対的関係は、第２の送信繰り返し数と第１の送信繰り返し数との差を指す。
【０１０５】
たとえば、上記で表２に示される対応関係のセット１に含まれる４つの対応関係の場合、ＴＢＳ１−ｒｅｐ＿１１は第１の対応関係であってよく、ＴＢＳ２−ｒｅｐ＿２１、ＴＢＳ３−ｒｅｐ＿３１、およびＴＢＳ４−ｒｅｐ＿４１は第２の対応関係であってよい。第１の対応関係では、ｒｅｐ＿１１は、ＴＢＳ１に対応する送信繰り返し数であり、絶対値である。しかしながら、第２の対応関係では、ｒｅｐ＿２１、ｒｅｐ＿３１、およびｒｅｐ＿４１はそれぞれ、数標識情報として、ＴＢＳ２に対応する送信繰り返し数とｒｅｐ＿１１との差、ＴＢＳ３に対応する送信繰り返し数とｒｅｐ＿１１との差、およびＴＢＳ４に対応する送信繰り返し数とｒｅｐ＿１１との差を示す。
【０１０６】
上位層シグナリングを通じて基地局によって送られる対応関係の少なくとも１つのセットの場合、ＵＥは、それを受信したとき、それをローカルに記憶してよい。
【０１０７】
ＵＥによって送られるターゲット・ランダム・アクセス・プリアンブルを受信した後、基地局は、現在のチャネルの品質に基づいて繰り返し数標識情報を生成し、それを、ターゲット・ランダム・アクセス応答を通じてＵＥに送ることがある。繰り返し数標識情報は、対応関係の少なくとも１つのセットにおける、対応関係の１つのセット、すなわち、対応関係のターゲット・セットを示すことがある。
【０１０８】
ターゲット・ランダム・アクセス応答を受信した後、ＵＥは、ターゲット・ランダム・アクセス応答から繰り返し数標識情報を抽出することがある。次いで、ＵＥは、繰り返し数標識情報に基づいて対応関係のターゲット・セットを決定し、ターゲットＴＢＳに対応する送信繰り返し数を取得するためにターゲットＴＢＳに基づいて対応関係のターゲット・セットを問い合わせ、送信繰り返し数をターゲット送信繰り返し数として決定することがある。
【０１０９】
たとえば、ターゲット・ランダム・アクセス応答を通じて基地局によって送られる繰り返し数標識情報によって示される対応関係のターゲット・セットは、表２に示される対応関係のセット１であり、ＵＥは、ＴＢＳ１がターゲットＴＢＳであると決定している。したがって、ＵＥは、ＴＢＳ１に対応する送信繰り返し数すなわちｒｅｐ＿１１を取得するためにＴＢＳ１に基づいて対応関係のセット１を問い合わせ、次いで、ｒｅｐ＿１１をターゲット送信繰り返し数として決定し得る。
【０１１０】
第２の手段では、繰り返し数標識情報は、第３の送信繰り返し数を示し得る。具体的には、第３の送信繰り返し数は第３のＴＢＳに対応し、ＵＥは、ターゲットＴＢＳ、第３のＴＢＳ、および第３の送信繰り返し数に基づいて、ターゲット送信繰り返し数を決定し得る。
【０１１１】
このようにして、基地局は、現在のチャネルの品質に基づいて送信繰り返し数のセットを決定し得る。送信繰り返し数のセットは、通信プロトコルによってサポートされる送信繰り返し数のうちの少なくとも１つを含み、少なくとも１つの送信繰り返し数の各々に対応するＴＢＳも含んでよい。次いで、基地局は、上位層シグナリングを通じてＵＥに送信繰り返し数のセットを送る。送信繰り返し数のセットの場合、ＵＥは、それを受信するとローカルに記憶してよい。
【０１１２】
ＵＥによって送られるターゲット・ランダム・アクセス・プリアンブルを受信した後、基地局は、送信繰り返し数のセットから送信繰り返し数、すなわち、第３の送信繰り返し数を選択することがある。１つまたは複数の実施形態では、基地局によって選択される送信繰り返し数は、送信繰り返し数のセットにおいて最小送信繰り返し数または最大送信繰り返し数であってよい。
【０１１３】
次いで、基地局は選択された送信繰り返し数、すなわち、第３の送信繰り返し数を示すための繰り返し数標識情報、を生成し、ターゲット・ランダム・アクセス応答を通じてＵＥに繰り返し数標識情報を送ることがある。
【０１１４】
ターゲット・ランダム・アクセス応答を受信した後、ＵＥは、ターゲット・ランダム・アクセス応答から繰り返し数標識情報を抽出し、次いで、ターゲットＴＢＳ、第３のＴＢＳ、および第３の送信繰り返し数に基づいて、ターゲット送信繰り返し数を決定することがある。
【０１１５】
本開示の実施形態によれば、ＵＥがターゲットＴＢＳ、第３のＴＢＳ、および第３の送信繰り返し数に基づいてターゲット送信繰り返し数を決定するための２つの可能な実装形態が提供される。
【０１１６】
第１の可能な実装形態では、ＵＥは、第３のＴＢＳに対するターゲットＴＢＳの相対的関係に基づいて第３の送信繰り返し数に対するターゲット送信繰り返し数の第１の相対的関係を決定し得る。次いで、ＵＥは、第１の相対的関係および第３の送信繰り返し数に基づいて、ターゲット送信繰り返し数を決定し得る。
【０１１７】
１つまたは複数の実施形態では、第３のＴＢＳに対するターゲットＴＢＳの相対的関係は、第３のＴＢＳに対するターゲットＴＢＳの比例関係であってよく、第１の相対的関係は、第３の送信繰り返し数に対するターゲット送信繰り返し数の比例関係であってよい。
【０１１８】
この実装形態では、ＵＥは、第１の式すなわち
ｒｅｐ＿ｙ＝ｃｅｉｌ［ｒｅｐ＿ｘ＊（ＴＢＳ＿ｙ／ＴＢＳ＿ｘ）］
に基づいて、ターゲット送信繰り返し数を計算することがあり、上式で、ｒｅｐ＿ｙはターゲット送信繰り返し数、ｃｅｉｌはシーリング演算子（ｃｅｉｌｉｎｇ  ｏｐｅｒａｔｏｒ）、ｒｅｐ＿ｘは第３の送信繰り返し数、ＴＢＳ＿ｙはターゲットＴＢＳ、ＴＢＳ＿ｘは第３のＴＢＳである。
【０１１９】
第２の可能な実装形態では、ＵＥは、第３のＴＢＳに対するターゲットＴＢＳの相対的関係に基づいて第３の送信繰り返し数に対する基準送信繰り返し数の第２の相対的関係を決定し得る。次いで、ＵＥは、第２の相対的関係および第３の送信繰り返し数に基づいて、基準送信繰り返し数を決定し、基準送信繰り返し数に基づいてターゲット送信繰り返し数を決定し得る。
【０１２０】
１つまたは複数の実施形態では、第３のＴＢＳに対するターゲットＴＢＳの相対的関係は、第３のＴＢＳに対するターゲットＴＢＳの比例関係であってよく、第２の相対的関係は、第３の送信繰り返し数に対する基準送信繰り返し数の比例関係であってよい。
【０１２１】
この実装形態では、ＵＥは、第２の式すなわち
ｒｅｐ＿ｚ＝ｃｅｉｌ［ｒｅｐ＿ｘ＊（ＴＢＳ＿ｙ／ＴＢＳ＿ｘ）］
に基づいて、基準送信繰り返し数を計算することがあり、上式で、ｒｅｐ＿ｚは基準送信繰り返し数、ｃｅｉｌはシーリング演算子、ｒｅｐ＿ｘは第３の送信繰り返し数、ＴＢＳ＿ｙはターゲットＴＢＳ、ＴＢＳ＿ｘは第３のＴＢＳである。
【０１２２】
本開示の実施形態によれば、ＵＥが基準送信繰り返し数に基づいてターゲット送信繰り返し数を決定するための２つの可能な実装形態が提供される。
【０１２３】
第１の可能な実装形態では、ＵＥは、基準送信繰り返し数に基づいてターゲット送信繰り返し数を決定する。ターゲット送信繰り返し数は、値のターゲット・セットの中の、基準送信繰り返し数からの最小差を有する値である。値のターゲット・セットは少なくとも１つの値を含み、値のターゲット・セットに含まれる各値は、第１のあらかじめ設定された値の整数倍または第２のあらかじめ設定された値の整数乗である。
【０１２４】
１つまたは複数の実施形態では、第１のあらかじめ設定された値と第２のあらかじめ設定された値は、同一であってもよいし、異なってもよい。本開示の１つまたは複数の実施形態では、第１のあらかじめ設定された値と第２のあらかじめ設定された値の両方が２であることがある。
【０１２５】
第２の可能な実装形態では、ＵＥは、基準送信繰り返し数に基づいてターゲット送信繰り返し数を決定する。ターゲット送信繰り返し数は、基準送信繰り返し数からの最小差を有する、通信プロトコルによってサポートされる送信繰り返し数の１つである。
【０１２６】
ステップ４０６では、ＵＥが、ターゲット送信繰り返し数に従って、ランダム・アクセス手順中に基地局にターゲット・アップリンク・データを送信する。
【０１２７】
ＥＤＴ技術では、ＵＥは、ランダム・アクセス手順のメッセージ３を通じて基地局にターゲット・アップリンク・データを送信し得る。
【０１２８】
ＵＥは、アップリンク・リソース標識情報およびターゲットＴＢＳによって示されるＲＵの数に基づいてそれ自体によって決定される変調符号化方式に従ってターゲット・アップリンク・データを変調および符号化し、次いで、変調および符号化されたターゲット・アップリンク・データを基地局に繰り返し送信することがある。特に、ＵＥが変調および符号化されたターゲット・アップリンク・データを基地局に繰り返し送信するように構成される回数が、ターゲット送信繰り返し数によって示される。
【０１２９】
ステップ４０７では、ランダム・アクセス手順中に、基地局が、ターゲット送信繰り返し数に従ってＵＥによって送信されたターゲット・アップリンク・データを受信する。
【０１３０】
ステップ４０７の場合、基地局は、ＵＥによって選択されたターゲットＴＢＳを前もって知ることはできないので、基地局は、ターゲット・アップリンク・データが正しく受信されることが可能であるＴＢＳ、すなわち、ターゲットＴＢＳを取得するまで、利用可能なＴＢＳをもつターゲット・アップリンク・データを搬送するアップリンク・リソースを順次テストすることがある。
【０１３１】
基地局は、ターゲットＴＢＳおよび繰り返し数標識情報に基づいてターゲット送信繰り返し数を決定し、ターゲット送信繰り返し数に従って、ＵＥによって送信されたターゲット・アップリンク・データを受信することがある。
【０１３２】
前述の説明から、本開示の実施形態によって提供されるデータを送信する方法によれば、基地局によって送られるターゲット・ランダム・アクセス応答内で搬送される繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲットＴＢＳに基づいて決定される場合、ＥＤＴ技術におけるＵＥは、基地局にターゲット・アップリンク・データを繰り返し送信し、それによって、ＥＤＴ技術における、どのようにしてＵＥが基地局にアップリンク・データを繰り返し送信するかという問題を解決することができる。
【０１３３】
図５は、一例による、データを送信するための装置５００を示すブロック図である。データを送信するための装置５００は、図１に示されるＵＥ２０内に設置されてよい。図５を参照すると、データを送信するための装置５００は、第１の送出モジュール５０１と、受信モジュール５０２と、第２の送出モジュール５０３とを含む。
【０１３４】
第１の送出モジュール５０１は、ランダム・アクセス手順中にＵＥがターゲット・アップリンク・データを基地局に送信するように要求することを示すために、基地局にターゲット・ランダム・アクセス・プリアンブルを送るように構成される。
【０１３５】
受信モジュール５０２は、ターゲット・ランダム・アクセス応答を受信するように構成される。このターゲット・ランダム・アクセス応答は、ターゲット・ランダム・アクセス・プリアンブルに基づいて基地局によって送られ、繰り返し数標識情報を搬送する。
【０１３６】
第２の送出モジュール５０３は、ターゲット送信繰り返し数に従って、ランダム・アクセス手順中に基地局にターゲット・アップリンク・データを送信するように構成される。
【０１３７】
いくつかの実施形態では、ターゲット送信繰り返し数は、ランダム・アクセス手順中にＵＥが基地局にターゲット・アップリンク・データを繰り返し送信するように構成される回数を示し、ターゲット送信繰り返し数は、繰り返し数標識情報およびターゲットＴＢＳに基づいて決定される。ターゲットＴＢＳは、ランダム・アクセス手順中にＵＥが基地局にターゲット・アップリンク・データを送信するためのものである。
【０１３８】
本開示の１つまたは複数の実施形態では、繰り返し数標識情報は、ターゲット・ランダム・アクセス応答のためのアップリンク・スケジューリング・グラント内で搬送される。
【０１３９】
図６に示されるように、本開示の一実施形態によれば、データを送信するための別の装置６００が提供される。データを送信するための装置５００によって含まれるモジュールに加えて、データを送信するための装置６００は、第１の数決定モジュール５０４を含む。
【０１４０】
図７に示されるように、本開示の一実施形態によれば、データを送信するための別の装置７００が提供される。データを送信するための装置５００によって含まれるモジュールに加えて、データを送信するための装置７００は、第２の数決定モジュール５０５を含む。
【０１４１】
ここで、データを送信するための装置５００によって含まれるモジュールに基づいて、本開示の実施形態による、データを送信するための装置は、第１の数決定モジュール５０４と、第２の数決定モジュール５０５とを同時に含んでよい。
【０１４２】
本開示の１つまたは複数の実施形態では、対応関係の少なくとも１つのセットは、ＵＥ内に記憶される。対応関係の少なくとも１つのセットの各々は、ＴＢＳと送信繰り返し数との間の少なくとも１つの対応関係を含む。第１の数決定モジュール５０４は、
繰り返し数標識情報に基づいて、対応関係の少なくとも１つのセットから対応関係のターゲット・セットを決定するように構成されたセット決定サブモジュールと、
ターゲットＴＢＳに対応する送信繰り返し数を取得するためにターゲットＴＢＳに基づいて対応関係のターゲット・セットを問い合わせるように構成された問い合わせサブモジュールと、
ターゲットＴＢＳに対応する送信繰り返し数をターゲット送信繰り返し数として決定するように構成される第１の数決定サブモジュールと
を含む。
【０１４３】
本開示の１つまたは複数の実施形態では、対応関係の少なくとも１つのセットは、上位層シグナリングを通じてＵＥに基地局によって送られる。
【０１４４】
本開示の１つまたは複数の実施形態では、対応関係のセットは、互いに対応する、第１のＴＢＳと第１の送信繰り返し数との間の第１の対応関係と、互いに対応する、第２のＴＢＳと数標識情報との間の第２の対応関係とを含む。数標識情報は、第１の送信繰り返し数に対する、第２のＴＢＳに対応する第２の送信繰り返し数の相対的関係を示す。
【０１４５】
本開示の１つまたは複数の実施形態では、繰り返し数標識情報は、第３のＴＢＳに対応する第３の送信繰り返し数を示す。第２の数決定モジュール５０５は、ターゲットＴＢＳ、第３のＴＢＳ、および第３の送信繰り返し数に基づいて、ターゲット送信繰り返し数を決定するように構成される。
【０１４６】
本開示の１つまたは複数の実施形態では、第３の送信繰り返し数は、送信繰り返し数のセットに含まれる。送信繰り返し数のセットは、通信プロトコルによってサポートされる送信繰り返し数のうちの少なくとも１つを含み、上位層シグナリングを通じて基地局によってＵＥに送られる。
【０１４７】
本開示の１つまたは複数の実施形態では、第２の数決定モジュール５０５は、
ターゲットＴＢＳと第３のＴＢＳとの間の相対的関係に基づいて第３の送信繰り返し数に対するターゲット送信繰り返し数の第１の相対的関係を決定するように構成された第１の関係決定サブモジュールであって、第１の相対的関係は、第３の送信繰り返し数に対するターゲット送信繰り返し数の相対的関係である、第１の関係決定サブモジュールと、
第１の相対的関係および第３の送信繰り返し数に基づいてターゲット送信繰り返し数を決定するように構成された第２の数決定サブモジュールと
を含む。
【０１４８】
本開示の１つまたは複数の実施形態では、第２の数決定モジュール５０５は、
第３のＴＢＳに対するターゲットＴＢＳの相対的関係に基づいて第３の送信繰り返し数に対する基準送信繰り返し数の第２の相対的関係を決定するように構成された第２の関係決定サブモジュールと、
第２の相対的関係および第３の送信繰り返し数に基づいて基準送信繰り返し数を決定するように構成された第３の数決定サブモジュールと、
基準送信繰り返し数に基づいてターゲット送信繰り返し数を決定するように構成された第４の数決定サブモジュールと
を含む。
【０１４９】
本開示の１つまたは複数の実施形態では、第４の数決定サブモジュールは、具体的には、基準送信繰り返し数に基づいて、値のターゲット・セットの中の、基準送信繰り返し数からの最小差を有する値であるターゲット送信繰り返し数を決定するように構成される。値のターゲット・セットは少なくとも１つの値を含み、少なくとも１つの値の各々は、第１のあらかじめ設定された値の整数倍または第２のあらかじめ設定された値の整数乗である。
【０１５０】
本開示の１つまたは複数の実施形態では、第４の数決定サブモジュールは、具体的には、基準送信繰り返し数に基づいて、基準送信繰り返し数からの最小差を有する、通信プロトコルによってサポートされる送信繰り返し数の１つであるターゲット送信繰り返し数を決定するように構成される。
【０１５１】
前述の説明から、本開示の実施形態によって提供されるデータを送信するための装置によれば、基地局によって送られるターゲット・ランダム・アクセス応答内で搬送される繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲットＴＢＳに基づいて決定される場合、ＥＤＴ技術におけるＵＥは、基地局にターゲット・アップリンク・データを繰り返し送信し、それによって、ＥＤＴ技術における、どのようにしてＵＥが基地局にアップリンク・データを繰り返し送信するかという問題を解決することができる。
【０１５２】
上記の実施形態における装置に関して、各モジュールがその動作を実行する具体的な様式は、関連方法の実施形態において詳細に説明されており、本明細書では繰り返されない。
【０１５３】
図８は、一例による、データを送信するための装置８００を示すブロック図である。データを送信するための装置８００は、図１に示される基地局１０内に設置されてよい。図８を参照すると、データを送信するための装置８００は、第１の受信モジュール７０１と、送出モジュール７０２と、第２の受信モジュール７０３とを含む。
【０１５４】
第１の受信モジュール７０１は、ＵＥによって送られたターゲット・ランダム・アクセス・プリアンブルを受信するように構成される。ターゲット・ランダム・アクセス・プリアンブルは、ランダム・アクセス手順中にＵＥが基地局にターゲット・アップリンク・データを送信するように要求することを示す。
【０１５５】
送出モジュール７０２は、ターゲット・ランダム・アクセス・プリアンブルに基づいてＵＥにターゲット・ランダム・アクセス応答を送るように構成される。このターゲット・ランダム・アクセス応答は、ＵＥが繰り返し数標識情報およびターゲットＴＢＳに基づいてターゲット送信繰り返し数を決定するための繰り返し数標識情報を搬送する。ターゲット送信繰り返し数は、ランダム・アクセス手順中にＵＥが基地局にターゲット・アップリンク・データを繰り返し送信するように構成される回数を示し、ターゲットＴＢＳは、ランダム・アクセス手順中にＵＥが基地局にターゲット・アップリンク・データを送信するためのものである。
【０１５６】
第２の受信モジュール７０３は、ランダム・アクセス手順中に、ターゲット送信繰り返し数に従ってＵＥによって送信されたターゲット・アップリンク・データを受信するように構成される。
【０１５７】
本開示の１つまたは複数の実施形態では、繰り返し数標識情報は、ＵＥ内に記憶される対応関係の少なくとも１つのセットから対応関係のターゲット・セットを決定するようにＵＥに指示するように構成される。対応関係のターゲット・セットは、ＵＥがターゲットＴＢＳに基づいて、ターゲットＴＢＳに対応する送信繰り返し数を取得してターゲット送信繰り返し数として決定するために問い合わせるためのものである。
【０１５８】
１つまたは複数の実施形態では、対応関係の少なくとも１つのセットの各々は、ＴＢＳと送信繰り返し数との間の少なくとも１つの対応関係を含む。
【０１５９】
本開示の１つまたは複数の実施形態では、対応関係の少なくとも１つのセットは、上位層シグナリングを通じてＵＥに基地局によって送られる。
【０１６０】
本開示の１つまたは複数の実施形態では、対応関係のセットは、互いに対応する、第１のＴＢＳと第１の送信繰り返し数との間の第１の対応関係と、互いに対応する、第２のＴＢＳと数標識情報との間の第２の対応関係とを含む。数標識情報は、第１の送信繰り返し数に対する、第２のＴＢＳに対応する第２の送信繰り返し数の相対的関係を示す。
【０１６１】
本開示の１つまたは複数の実施形態では、繰り返し数標識情報は、第３の送信繰り返し数を示す。第３の送信繰り返し数は、第３のＴＢＳに対応する。第３の送信繰り返し数および第３のＴＢＳは、ターゲットＴＢＳと組み合わせて、ＵＥがターゲット送信繰り返し数を決定するためのものである。
【０１６２】
本開示の１つまたは複数の実施形態では、第３の送信繰り返し数は、送信繰り返し数のセットに含まれる。送信繰り返し数のセットは、通信プロトコルによってサポートされる送信繰り返し数のうちの少なくとも１つを含み、上位層シグナリングを通じて基地局によってＵＥに送られる。
【０１６３】
本開示の１つまたは複数の実施形態では、繰り返し数標識情報は、ターゲット・ランダム・アクセス応答のためのアップリンク・スケジューリング・グラント内で搬送される。
【０１６４】
前述の説明から、本開示の実施形態によって提供されるデータを送信する装置によれば、ターゲット・ランダム・アクセス応答内で搬送される繰り返し数標識情報をＵＥに送ることによって、ＵＥは、ターゲット送信繰り返し数に従って、ランダム・アクセス手順中に基地局にターゲット・アップリンク・データを送信することができ、ターゲット送信繰り返し数が、ＵＥによって繰り返し数標識情報およびターゲットＴＢＳに基づいて決定され、したがって、ＥＤＴ技術におけるＵＥが、基地局にターゲット・アップリンク・データを繰り返し送信し、それによって、ＥＤＴ技術における、いかにしてＵＥが基地局にアップリンク・データを繰り返し送信するかという問題を解決することができる。
【０１６５】
上記の実施形態における装置に関して、各モジュールがその動作を実行する具体的な様式は、関連方法の実施形態において詳細に説明されており、本明細書では繰り返されない。
【０１６６】
図９は、一例による、データを送信するためのデバイス９００を示すブロック図である。たとえば、デバイス９００は、インテリジェント積算電力計、シェア自転車、インテリジェントＴＶ、インテリジェント・エア・コン、インテリジェント温度コレクタ、またはインテリジェント湿度コレクト・コンポーネントなどの、ＮＢ−ＩｏＴまたはＭＴＣに基づいてモノのインターネット通信をサポートする端末であってよい。
【０１６７】
図９に示されるように、デバイス９００は、以下の構成要素、すなわち、処理構成要素８０２、メモリ８０４、電力供給構成要素８０６、マルチメディア構成要素８０８、オーディオ構成要素８１０、入力／出力（Ｉ／Ｏ）インタフェース８１２、センサ構成要素８１４、および通信構成要素８１６のうちの１つまたは複数を含んでよい。
【０１６８】
処理構成要素８０２は、一般に、表示、通話、データ通信、カメラ動作、および記録動作と関連づけられた動作などの、デバイス９００の全体的な動作を制御する。処理要素８０２は、上記の方法実施形態においてＵＥ２０によって動作されるステップのすべてまたは一部を完了するために命令を実行する１つまたは複数のプロセッサ８２０を含んでよい。さらに、処理構成要素８０２は、処理構成要素８０２と他の構成要素との間の相互作用を容易にするために１つまたは複数のモジュールを含んでよい。たとえば、処理構成要素８０２は、マルチメディア構成要素８０８と処理構成要素８０２との間の相互作用を容易にするためにマルチメディア・モジュールを含んでよい。
【０１６９】
メモリ８０４は、デバイス９００の動作をサポートするために、さまざまなタイプのデータを記憶するように構成される。そのようなデータの例としては、デバイス９００上で動作される任意の適用例または方法のための命令、連絡先データ、電話帳データ、メッセージ、写真、ビデオなどがある。メモリ８０４は、スタティック・ランダム・アクセス・メモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、ディスク、または光ディスクなどの、任意のタイプの揮発性記憶デバイスまたは不揮発性記憶デバイスまたはそれらの組み合わせによって実施されてよい。
【０１７０】
電力供給構成要素８０６は、デバイス９００のさまざまな構成要素に電力を提供する。電力供給構成要素８０６は、電力管理システムと、１つまたは複数の電源と、デバイス９００のために電力を生成、管理、および配電することと関連づけられた他の構成要素とを含んでよい。
【０１７１】
マルチメディア構成要素８０８は、デバイス９００とユーザとの間の出力インタフェースを提供するスクリーンを含む。いくつかの実施形態では、スクリーンは、液晶ディスプレイ（ＬＣＤ）と、タッチ・パネル（ＴＰ）とを含んでよい。スクリーンがＴＰを含む場合、スクリーンは、ユーザから入力信号を受信するためにタッチ・スクリーンとして実施され得る。ＴＰは、ＴＰ上でのタッチ、スワイプ、およびジェスチャを感知するために１つまたは複数のタッチ・センサを含んでよい。タッチ・センサは、タッチまたはスワイプの境界を感知するだけでなく、タッチまたはスワイプと関連づけられた持続時間および圧力も感知し得る。いくつかの実施形態では、マルチメディア構成要素８０８は、前部カメラおよび／または後部カメラを含む。前部カメラおよび／または後部カメラは、デバイス９００が撮影モードまたはビデオ・モードなどの動作モードであるとき、外部マルチメディア・データを受信し得る。各前部カメラおよび各後部カメラは、固定された光学レンズ・システムであってもよいし、焦点距離および光学的ズーム能力を有してもよい。
【０１７２】
オーディオ構成要素８１０は、オーディオ信号を出力および／または入力するように構成される。たとえば、オーディオ構成要素８１０は、デバイス９００がコール・モード、記録モード、および音声認識モードなどの動作モードであるとき外部オーディオ信号を受信するように構成されたマイクロホン（ＭＩＣ）を含む。受信されたオーディオ信号は、メモリ８０４内にさらに記憶されてもよいし、通信構成要素８１６を介して送信されてもよい。いくつかの実施形態では、オーディオ構成要素８１０は、オーディオ信号を出力するためのスピーカも含む。
【０１７３】
Ｉ／Ｏインタフェース８１２は、処理構成要素８０２と周辺インタフェース・モジュールとの間のインタフェースを提供する。上記の周辺インタフェース・モジュールは、キーボード、クリック・ホイール、ボタンなどであってよい。これらのボタンは、限定するものではないが、ホーム・ボタン、ボリューム・ボタン、スタート・ボタン、およびロック・ボタンを含んでよい。
【０１７４】
センサ構成要素８１４は、さまざまな態様におけるステータス評価をデバイス９００に提供するために、１つまたは複数のセンサを含む。たとえば、センサ構成要素８１４は、デバイス９００のディスプレイおよびキーパッドなどのデバイス９００の開閉状態および構成要素の相対的位置決めを検出することがあり、センサ構成要素８１４は、デバイス９００またはデバイス９００の構成要素の位置の変化、デバイス９００とのユーザ接触の存在または不在、デバイス９００の方向または加速／減速、およびデバイス９００の温度変化も検出することがある。センサ構成要素８１４は、物理的接触なしに隣接物体の存在を検出するように構成された近接センサを含むことがある。センサ構成要素８１４は、イメージング適用例において使用される、相補型金属酸化膜半導体（ＣＭＯＳ）画像センサまたは電荷結合素子（ＣＣＤ）画像センサなどの光学センサをさらに含むことがある。いくつかの実施形態では、センサ構成要素８１４は、加速度センサ、ジャイロ・センサ、磁気センサ、圧力センサ、または温度センサも含むことがある。
【０１７５】
通信構成要素８１６は、デバイス９００と他のデバイスとの間のワイヤード通信またはワイヤレス通信を容易にするように構成される。デバイス９００は、ＷｉＦｉ、２Ｇもしくは３Ｇ、またはそれらの組み合わせなどの通信規格に基づいて、ワイヤレス・ネットワークにアクセスすることがある。一例では、通信構成要素８１６は、ブロードキャスト・チャネルを介して外部ブロードキャスト管理システムからブロードキャスト信号またはブロードキャスト関連情報を受信する。例示的な一実施形態では、通信構成要素８１６は、近距離通信を容易にするために短距離通信（ＮＦＣ）モジュールも含む。たとえば、ＮＦＣモジュールは、無線周波数認識（ＲＦＩＤ）技術、赤外線データ協会（ＩｒＤＡ）技術、超広帯域（ＵＷＢ）技術、ブルートゥース（登録商標）（ＢＴ）技術、および他の技術に基づいて、実施されてよい。
【０１７６】
例示的な一実施形態では、デバイス９００は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、コントローラ、マイクロコントローラ、マイクロプロセッサ、または上記の方法実施形態においてＵＥ２０によって動作される技術的プロセスを実行するための他の電子構成要素によって実施されてよい。
【０１７７】
例示的な一実施形態では、命令を含むメモリ８０４などの、命令を含む非一時的なコンピュータ可読記憶媒体も提供される。上記の命令は、上記の方法実施形態においてＵＥ２０によって動作される技術プロセスを実施するために、デバイス９００のプロセッサ８２０によって実行されることがある。たとえば、非一時的なコンピュータ可読記憶媒体は、読み出し専用メモリ（ＲＯＭ）、ランダム・アクセス・メモリ（ＲＡＭ）、ＣＤ−ＲＯＭ、磁気テープ、フロッピー・ディスク、光学式データ記憶デバイスなどであってよい。
【０１７８】
図１０は、一例による、データを送信するためのデバイス１０００を示すブロック図である。たとえば、データを送信するためのデバイス１０００は、基地局であってよい。図１０に示されるように、データを送信するためのデバイス１０００は、プロセッサ９０１と、受信機９０２と、送信機９０３と、メモリ９０４とを含んでよい。受信機９０２、送信機９０３、およびメモリ９０４は、バスを通じてプロセッサ９０１に別々に接続される。
【０１７９】
１つまたは複数の実施形態では、プロセッサ９０１は、１つまたは複数の処理コアを含み、本開示の実施形態によって提供されるデータを送信する方法により基地局によって動作される方法を実行するためにソフトウェア・プログラムおよびモジュールを実行する。メモリ９０４は、ソフトウェア・プログラムおよびモジュールを記憶し得る。具体的には、メモリ９０４は、オペレーティング・システム９０４１および少なくとも１つの機能を果たすアプリケーション・モジュール９０４２を記憶し得る。受信機９０２は、別のデバイスによって送信された通信データを受信し、送信機９０３は、別のデバイスに通信データを送信する。
【０１８０】
図１１は、一例による、データを送信するためのシステム１１００を示すブロック図である。図１１に示されるように、データを送信するためのシステム１１００は、基地局１００１と、ＵＥ１００２とを含む。
【０１８１】
基地局１００１は、図４に示される実施形態による、基地局によって動作される、データを送信する方法を実行するように構成される。
【０１８２】
ＵＥ１００２は、図４に示される実施形態による、ＵＥによって動作される、データを送信する方法を実行するように構成される。
【０１８３】
一例によれば、コンピュータ可読記憶媒体も提供される。このコンピュータ可読記憶媒体は、コンピュータ・プログラムが記憶される不揮発性コンピュータ可読記憶媒体であり、記憶されたコンピュータ・プログラムが処理構成要素によって実行されるとき、本開示の前述の実施形態によって提供される、データを送信する方法が実施可能である。
【０１８４】
一例によれば、コンピュータ・プログラム製品も提供される。このコンピュータ・プログラム製品は命令を記憶し、コンピュータ上で実行されるとき、本開示の実施形態によって提供される、データを送信する方法をコンピュータに実行させる。
【０１８５】
一例によれば、チップも提供される。このチップは、プログラマブル論理回路および／またはプログラム命令を含み、実行されるとき、本開示の実施形態によって提供される、データを送信する方法を実行することができる。
【０１８６】
本開示の他の実装形態は、本明細書を参照することによって本開示を実施した後、当業者には容易に明らかであろう。本出願は、その一般的な原理による本開示の任意の変形形態、使用、または改変を包含し、本開示に開示されていない、当技術分野における一般的な常識または従来の技術的手段を含むことを意図したものである。本明細書およびその中における実施形態は例示にすぎず、本開示の範囲および趣旨は、添付の請求の範囲によって示されるべきである。
【０１８７】
本開示は、図面に示される上記で説明された正確な構造に限定されず、さまざまな修正および変更が、その範囲から逸脱することなく本開示に加えられ得ることを理解されたい。本開示の範囲は、添付の請求の範囲によってのみ限定されるべきである。
【図１】
2021525022.tif 000006
【図２】
2021525022.tif 000007
【図３】
2021525022.tif 000008
【図４】
2021525022.tif 000009
【図５】
2021525022.tif 000010
【図６】
2021525022.tif 000011
【図７】
2021525022.tif 000012
【図８】
2021525022.tif 000013
【図９】
2021525022.tif 000014
【図１０】
2021525022.tif 000015
【図１１】
2021525022.tif 000016
【手続補正書】
【提出日】令和2年12月8日(2020.12.8)
【手続補正１】
【補正対象書類名】明細書
【補正対象項目名】全文
【補正方法】変更
【補正の内容】
【発明の詳細な説明】
【技術分野】
【０００１】
本開示は、ワイヤレス通信技術の分野に関し、より詳細には、データを送信するための方法、装置、およびシステム、ならびに記憶媒体に関する。
【背景技術】
【０００２】
ワイヤレス通信技術の発展とともに、モノのインターネットは、人々の日常生活でますます一般的になっている。いわゆるモノのインターネットは、その名前が示唆するように、モノをモノに接続する通信ネットワークである。具体的には、２つのタイプのモノのインターネット技術すなわちナローバンド・モノのインターネット（ＮＢ−ＩｏＴ）およびマシン・タイプ通信（ＭＴＣ）は、適用例において非常に有望である。
【０００３】
送信遅延を減少させるために、ＮＢ−ＩｏＴとＭＴＣの両方は、ランダム・アクセス手順中にユーザ機器（ＵＥ）がアップリンク・データを送信することができる早期データ送信（ＥＤＴ）技術とともに導入されることがある。
【０００４】
一般的には、ＮＢ−ＩｏＴまたはＭＴＣにおける一部のアップリンク・データに対して、ＵＥは、モノのインターネットのカバレッジ能力を保証するように基地局にアップリンク・データを繰り返し送信するように構成される。したがって、どのようにしてＵＥが基地局にアップリンク・データを繰り返し送信するかは、ＥＤＴ技術において解決されるべき差し迫った問題になっている。
【発明の概要】
【発明が解決しようとする課題】
【０００５】
本開示は、ＥＤＴ技術における、どのようにしてユーザ機器が基地局にアップリンク・データを繰り返し送信するかという問題を解決することができる、データを送信するための方法、装置、およびシステム、ならびに記憶媒体を提供する。
【課題を解決するための手段】
【０００６】
本開示の実施形態の第１の態様によれば、データを送信する方法は、
ランダム・アクセス手順中にユーザ機器が基地局にターゲット・アップリンク・データを送信するように要求することを示すために、ターゲット・ランダム・アクセス・プリアンブルを基地局に送ることと、
ターゲット・ランダム・アクセス・プリアンブルに基づいて基地局によって送られ、繰り返し数標識情報を搬送するターゲット・ランダム・アクセス応答を受信することと、
ターゲット送信繰り返し数に従って、ランダム・アクセス手順中に基地局にターゲット・アップリンク・データを送信することと
を含み、
ターゲット送信繰り返し数は、ランダム・アクセス手順中にユーザ機器が基地局にターゲット・アップリンク・データを繰り返し送信するように構成される回数を示し、ターゲット送信繰り返し数は、繰り返し数標識情報およびターゲット送信ブロック・サイズに基づいて決定され、ターゲット送信ブロック・サイズは、ランダム・アクセス手順中にユーザ機器が基地局にターゲット・アップリンク・データを送信するためのものである。
【０００７】
一実施形態では、対応関係の少なくとも１つのセットがユーザ機器内に記憶され、対応関係の少なくとも１つのセットの各々は、送信ブロック・サイズと送信繰り返し数との間の少なくとも１つの対応関係を含み、ターゲット送信繰り返し数に従ってランダム・アクセス手順中に基地局にターゲット・アップリンク・データを送信する前に、方法は、
繰り返し数標識情報に基づいて、対応関係の少なくとも１つのセットから対応関係のターゲット・セットを決定することと、
ターゲット送信ブロック・サイズに対応する送信繰り返し数を取得するために、ターゲット送信ブロック・サイズに基づいて対応関係のターゲット・セットを問い合わせることと、
ターゲット送信ブロック・サイズに対応する送信繰り返し数をターゲット送信繰り返し数として決定することと
をさらに含む。
【０００８】
一実施形態では、対応関係の少なくとも１つのセットは、上位層シグナリングを通じてユーザ機器に基地局によって送られる。
【０００９】
一実施形態では、対応関係のセットは、
互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００１０】
一実施形態では、繰り返し数標識情報は、第３の送信ブロック・サイズに対応する第３の送信繰り返し数を示し、ターゲット送信繰り返し数に従ってランダム・アクセス手順中に基地局にターゲット・アップリンク・データを送信する前に、方法は、
ターゲット送信ブロック・サイズ、第３の送信ブロック・サイズ、および第３の送信繰り返し数に基づいて、ターゲット送信繰り返し数を決定すること
をさらに含む。
【００１１】
一実施形態では、第３の送信繰り返し数は送信繰り返し数のセットに含まれ、送信繰り返し数のセットは、通信プロトコルによってサポートされる送信繰り返し数のうちの少なくとも１つを含み、上位層シグナリングを通じてユーザ機器に基地局によって送られる。
【００１２】
一実施形態では、ターゲット送信ブロック・サイズ、第３の送信ブロック・サイズ、および第３の送信繰り返し数に基づいて、ターゲット送信繰り返し数を決定することは、
第３の送信ブロック・サイズに対するターゲット送信ブロック・サイズの相対的関係に基づいて、第３の送信繰り返し数に対するターゲット送信繰り返し数の第１の相対的関係を決定することと、
第１の相対的関係および第３の送信繰り返し数に基づいて、ターゲット送信繰り返し数を決定することと
を含む。
【００１３】
一実施形態では、ターゲット送信ブロック・サイズ、第３の送信ブロック・サイズ、および第３の送信繰り返し数に基づいて、ターゲット送信繰り返し数を決定することは、
第３の送信ブロック・サイズに対するターゲット送信ブロック・サイズの相対的関係に基づいて、第３の送信繰り返し数に対する基準送信繰り返し数の第２の相対的関係を決定することと、
第２の相対的関係および第３の送信繰り返し数に基づいて、基準送信繰り返し数を決定することと、
基準送信繰り返し数に基づいて、ターゲット送信繰り返し数を決定することと
を含む。
【００１４】
一実施形態では、基準送信繰り返し数に基づいてターゲット送信繰り返し数を決定することは、
基準送信繰り返し数に基づいて、ターゲット送信繰り返し数を決定することであって、このターゲット送信繰り返し数は、値のターゲット・セットの中の、基準送信繰り返し数からの最小差を有する値であり、この値のターゲット・セットは少なくとも１つの値を含み、少なくとも１つの値の各々は、第１のあらかじめ設定された値の整数倍または第２のあらかじめ設定された値の整数乗である、決定すること
を含む。
【００１５】
一実施形態では、基準送信繰り返し数に基づいてターゲット送信繰り返し数を決定することは、
基準送信繰り返し数に基づいて、ターゲット送信繰り返し数を決定することであって、ターゲット送信繰り返し数は、基準送信繰り返し数からの最小差を有する通信プロトコルによってサポートされる送信繰り返し数のうちの１つである、決定すること
を含む。
【００１６】
一実施形態では、繰り返し数標識情報は、ターゲット・ランダム・アクセス応答のためのアップリンク・スケジューリング・グラント内で搬送される。
【００１７】
本開示の実施形態の第２の態様によれば、データを送信する方法は、
ユーザ機器によって送られたターゲット・ランダム・アクセス・プリアンブルを受信することであって、このターゲット・ランダム・アクセス・プリアンブルは、ランダム・アクセス手順中にユーザ機器が基地局にターゲット・アップリンク・データを送信するように要求することを示す、受信することと、
ターゲット・ランダム・アクセス・プリアンブルに基づいて、ユーザ機器にターゲット・ランダム・アクセス応答を送ることであって、ターゲット・ランダム・アクセス応答は、ユーザ機器が繰り返し数標識情報およびターゲット送信ブロック・サイズに基づいてターゲット送信繰り返し数を決定するための繰り返し数標識情報を搬送し、ターゲット送信繰り返し数は、ランダム・アクセス手順中にユーザ機器が基地局にターゲット・アップリンク・データを繰り返し送信するように構成される回数を示し、ターゲット送信ブロック・サイズは、ランダム・アクセス手順中にユーザ機器が基地局にターゲット・アップリンク・データを送信するためのものである、送ることと、
ランダム・アクセス手順中に、ターゲット送信繰り返し数に従ってユーザ機器によって送信されたターゲット・アップリンク・データを受信することと
を含む。
【００１８】
一実施形態では、繰り返し数標識情報は、ユーザ機器内に記憶される対応関係の少なくとも１つのセットからの対応関係のターゲット・セットを決定するようにユーザ機器に指示するように構成され、対応関係のターゲット・セットは、ユーザ機器が、ターゲット送信ブロック・サイズに対応する送信繰り返し数を取得してターゲット送信繰り返し数として決定するためにターゲット送信ブロック・サイズに基づいて問い合わせるためのものであり、
対応関係の少なくとも１つのセットの各々は、送信ブロック・サイズと送信繰り返し数との間の少なくとも１つの対応関係を含む。
【００１９】
一実施形態では、対応関係の少なくとも１つのセットは、上位層シグナリングを通じてユーザ機器に基地局によって送られる。
【００２０】
一実施形態では、対応関係のセットは、互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００２１】
一実施形態では、繰り返し数標識情報は、第３の送信ブロック・サイズに対応する第３の送信繰り返し数を示し、第３の送信繰り返し数および第３の送信ブロック・サイズは、ターゲット送信ブロック・サイズと組み合わせて、ユーザ機器がターゲット送信繰り返し数を決定するためのものである。
【００２２】
一実施形態では、第３の送信繰り返し数は、送信繰り返し数のセットに含まれ、この送信繰り返し数のセットは、通信プロトコルによってサポートされる送信繰り返し数のうちの少なくとも１つを含み、上位層シグナリングを通じてユーザ機器に基地局によって送られる。
【００２３】
一実施形態では、繰り返し数標識情報は、ターゲット・ランダム・アクセス応答のためのアップリンク・スケジューリング・グラント内で搬送される。
【００２４】
本開示の実施形態の第３の態様によれば、データを送信するための装置は、
ランダム・アクセス手順中にユーザ機器が基地局にターゲット・アップリンク・データを送信するように要求することを示すために、基地局にターゲット・ランダム・アクセス・プリアンブルを送るように構成された第１の送出モジュールと、
ターゲット・ランダム・アクセス・プリアンブルに基づいて基地局によって送られ、繰り返し数標識情報を搬送するターゲット・ランダム・アクセス応答を受信するように構成された受信モジュールと、
ターゲット送信繰り返し数に従って、ランダム・アクセス手順中に基地局にターゲット・アップリンク・データを送信するように構成された第２の送出モジュールと
を含み、
ターゲット送信繰り返し数は、ランダム・アクセス手順中にユーザ機器が基地局にターゲット・アップリンク・データを繰り返し送信するように構成される回数を示し、ターゲット送信繰り返し数は、繰り返し数標識情報およびターゲット送信ブロック・サイズに基づいて決定され、ターゲット送信ブロック・サイズは、ランダム・アクセス手順中にユーザ機器が基地局にターゲット・アップリンク・データを送信するためのものである。
【００２５】
一実施形態では、対応関係の少なくとも１つのセットはユーザ機器内に記憶され、対応関係の少なくとも１つのセットの各々は、送信ブロック・サイズと送信繰り返し数との間の少なくとも１つの対応関係を含み、装置は、
繰り返し数標識情報に基づいて対応関係の少なくとも１つのセットから対応関係のターゲット・セットを決定するように構成されたセット決定サブモジュールと、
ターゲット送信ブロック・サイズに対応する送信繰り返し数を取得するためにターゲット送信ブロック・サイズに基づいて対応関係のターゲット・セットを問い合わせるように構成された問い合わせサブモジュールと、
ターゲット送信ブロック・サイズに対応する送信繰り返し数をターゲット送信繰り返し数として決定するように構成された第１の数決定サブモジュールと
を含む第１の数決定モジュールをさらに含む。
【００２６】
一実施形態では、対応関係の少なくとも１つのセットは、上位層シグナリングを通じてユーザ機器に基地局によって送られる。
【００２７】
一実施形態では、対応関係のセットは、
互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００２８】
一実施形態では、繰り返し数標識情報は、第３の送信ブロック・サイズに対応する第３の送信繰り返し数を示し、装置は、ターゲット送信ブロック・サイズ、第３の送信ブロック・サイズ、および第３の送信繰り返し数に基づいて、ターゲット送信繰り返し数を決定するように構成された第２の数決定モジュールをさらに含む。
【００２９】
一実施形態では、第３の送信繰り返し数は送信繰り返し数のセットに含まれ、送信繰り返し数のセットは、通信プロトコルによってサポートされる送信繰り返し数のうちの少なくとも１つを含み、上位層シグナリングを通じてユーザ機器に基地局によって送られる。
【００３０】
一実施形態では、第２の数決定モジュールは、
第３の送信ブロック・サイズに対するターゲット送信ブロック・サイズの相対的関係に基づいて第３の送信繰り返し数に対するターゲット送信繰り返し数の第１の相対的関係を決定するように構成された第１の関係決定サブモジュールと、
第１の相対的関係および第３の送信繰り返し数に基づいてターゲット送信繰り返し数を決定するように構成された第２の数決定サブモジュールと
を含む。
【００３１】
一実施形態では、第２の数決定モジュールは、
第３の送信ブロック・サイズに対する基準送信繰り返し数の相対的関係に基づいて第３の送信繰り返し数に対するターゲット送信ブロック・サイズの第２の相対的関係を決定するように構成された第２の関係決定サブモジュールと、
第２の相対的関係および第３の送信繰り返し数に基づいて基準送信繰り返し数を決定するように構成された第３の数決定サブモジュールと、
基準送信繰り返し数に基づいてターゲット送信繰り返し数を決定するように構成された第４の数決定サブモジュールと
を含む。
【００３２】
一実施形態では、第４の数決定サブモジュールは、基準送信繰り返し数に基づいて、値のターゲット・セットの中の、基準送信繰り返し数からの最小差を有する値である、ターゲット送信繰り返し数を決定するようにさらに構成され、値のターゲット・セットは少なくとも１つの値を含み、少なくとも１つの値の各々は、第１のあらかじめ設定された値の整数倍または第２のあらかじめ設定された値の整数乗である。
【００３３】
一実施形態では、第４の数決定サブモジュールは、基準送信繰り返し数に基づいて、基準送信繰り返し数からの最小差を有する通信プロトコルによってサポートされる送信繰り返し数のうちの１つであるターゲット送信繰り返し数を決定するようにさらに構成される。
【００３４】
一実施形態では、繰り返し数標識情報は、ターゲット・ランダム・アクセス応答のためのアップリンク・スケジューリング・グラント内で搬送される。
【００３５】
本開示の実施形態の第４の態様によれば、データを送信するための装置は、
ユーザ機器によって送られたターゲット・ランダム・アクセス・プリアンブルを受信するように構成された第１の受信モジュールであって、このターゲット・ランダム・アクセス・プリアンブルは、ランダム・アクセス手順中にユーザ機器が基地局にターゲット・アップリンク・データを送信するように要求することを示す、第１の受信モジュールと、
ターゲット・ランダム・アクセス・プリアンブルに基づいて、ユーザ機器にターゲット・ランダム・アクセス応答を送るように構成された送出モジュールであって、ターゲット・ランダム・アクセス応答は、ユーザ機器が繰り返し数標識情報およびターゲット送信ブロック・サイズに基づいてターゲット送信繰り返し数を決定するための繰り返し数標識情報を搬送し、ターゲット送信繰り返し数は、ランダム・アクセス手順中にユーザ機器が基地局にターゲット・アップリンク・データを繰り返し送信するように構成される回数を示し、ターゲット送信ブロック・サイズは、ランダム・アクセス手順中にユーザ機器が基地局にターゲット・アップリンク・データを送信するためのものである、送出モジュールと、
ランダム・アクセス手順中に、ターゲット送信繰り返し数に従ってユーザ機器によって送信されたターゲット・アップリンク・データを受信するように構成された第２の受信モジュールと
を含む。
【００３６】
一実施形態では、繰り返し数標識情報は、ユーザ機器内に記憶される対応関係の少なくとも１つのセットからの対応関係のターゲット・セットを決定するようにユーザ機器に指示するように構成され、対応関係のターゲット・セットは、ユーザ機器が、ターゲット送信ブロック・サイズに対応する送信繰り返し数を取得してターゲット送信繰り返し数として決定するためにターゲット送信ブロック・サイズに基づいて問い合わせるためのものであり、
対応関係の少なくとも１つのセットの各々は、送信ブロック・サイズと送信繰り返し数との間の少なくとも１つの対応関係を含む。
【００３７】
一実施形態では、対応関係の少なくとも１つのセットは、上位層シグナリングを通じてユーザ機器に基地局によって送られる。
【００３８】
一実施形態では、対応関係のセットは、
互いに対応する、第１の送信ブロック・サイズと第１の送信繰り返し数との間の第１の対応関係と、互いに対応する、第２の送信ブロック・サイズと数標識情報との間の第２の対応関係とを含み、数標識情報は、第１の送信繰り返し数に対する、第２の送信ブロック・サイズに対応する第２の送信繰り返し数の相対的関係を示す。
【００３９】
一実施形態では、繰り返し数標識情報は、第３の送信ブロック・サイズに対応する第３の送信繰り返し数を示し、第３の送信繰り返し数および第３の送信ブロック・サイズは、ターゲット送信ブロック・サイズと組み合わせて、ユーザ機器がターゲット送信繰り返し数を決定するためのものである。
【００４０】
一実施形態では、第３の送信繰り返し数は送信繰り返し数のセットに含まれ、送信繰り返し数のセットは、通信プロトコルによってサポートされる送信繰り返し数のうちの少なくとも１つを含み、上位層シグナリングを通じてユーザ機器に基地局によって送られる。
【００４１】
一実施形態では、繰り返し数標識情報は、ターゲット・ランダム・アクセス応答のためのアップリンク・スケジューリング・グラント内で搬送される。
【００４２】
本開示の実施形態の第５の態様によれば、ユーザ機器は、
プロセッサと、
このプロセッサによって実行可能である命令を記憶するためのメモリと
を含み、
プロセッサは、
ランダム・アクセス手順中にユーザ機器が基地局にターゲット・アップリンク・データを送信するように要求することを示すために、基地局にターゲット・ランダム・アクセス・プリアンブルを送り、
ターゲット・ランダム・アクセス・プリアンブルに基づいて基地局によって送られ、繰り返し数標識情報を搬送するターゲット・ランダム・アクセス応答を受信し、
ターゲット送信繰り返し数に従って、ランダム・アクセス手順中に基地局にターゲット・アップリンク・データを送信する
ように構成され、
ターゲット送信繰り返し数は、ランダム・アクセス手順中にユーザ機器が基地局にターゲット・アップリンク・データを繰り返し送信するように構成される回数を示し、ターゲット送信繰り返し数は、繰り返し数標識情報およびターゲット送信ブロック・サイズに基づいて決定され、ターゲット送信ブロック・サイズは、ランダム・アクセス手順中にユーザ機器が基地局にターゲット・アップリンク・データを送信するためのものである。
【００４３】
本開示の実施形態の第６の態様によれば、基地局は、
プロセッサと、
このプロセッサによって実行可能である命令を記憶するためのメモリと
を含み、
プロセッサは、
ユーザ機器によって送られたターゲット・ランダム・アクセス・プリアンブルを受信し、このターゲット・ランダム・アクセス・プリアンブルは、ランダム・アクセス手順中にユーザ機器が基地局にターゲット・アップリンク・データを送信するように要求することを示し、
ターゲット・ランダム・アクセス・プリアンブルに基づいて、ユーザ機器にターゲット・ランダム・アクセス応答を送り、このターゲット・ランダム・アクセス応答は、ユーザ機器が繰り返し数標識情報およびターゲット送信ブロック・サイズに基づいてターゲット送信繰り返し数を決定するための繰り返し数標識情報を搬送し、ターゲット送信繰り返し数は、ランダム・アクセス手順中にユーザ機器が基地局にターゲット・アップリンク・データを繰り返し送信するように構成される回数を示し、ターゲット送信ブロック・サイズは、ランダム・アクセス手順中にユーザ機器が基地局にターゲット・アップリンク・データを送信するためのものであり、
ランダム・アクセス手順中に、ターゲット送信繰り返し数に従ってユーザ機器によって送信されたターゲット・アップリンク・データを受信する
ように構成される。
【００４４】
本開示の実施形態の第７の態様によれば、データを送信するためのシステムは、上記の第３の態様において説明されたデータを送信するための任意の装置と、上記の第４の態様において説明されたデータを送信するための任意の装置とを含む。
【００４５】
本開示の実施形態の第８の態様によれば、コンピュータ・プログラムが記憶されコンピュータ可読記憶媒体が提供され、記憶されたコンピュータ・プログラムが処理構成要素によって実行されるとき、上記の第１の態様において説明された、データを送信する任意の方法が実施可能である、または、
記憶されたコンピュータ・プログラムが処理構成要素によって実行されるとき、上記の第２の態様において説明された、データを送信する任意の方法が実施可能である。
【００４６】
本開示の実施形態により提供される技術的解決策は、少なくとも以下の有益な効果を取得し得る。
【００４７】
基地局によって送られるターゲット・ランダム・アクセス応答内で搬送され繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲット送信ブロック・サイズに基づいて決定される場合、ＥＤＴ技術におけるユーザ機器は、基地局にターゲット・アップリンク・データを繰り返し送信し、それによって、ＥＤＴ技術ではどのようにしてユーザ機器が基地局にアップリンク・データを繰り返し送信するかという問題を解決することができる。
【００４８】
上記の概略的な説明および以下の詳細な説明は、例示および説明にすぎず、本開示を制限することを意図したものではないことを理解されたい。
【図面の簡単な説明】
【００４９】
本明細書に組み込まれ、その一部を構成する添付の図面は、本開示に一致する実施形態を示し、さらには、説明とともに、本開示の原理を説明する役割を果たす。
【図１】一例による実装環境を示す概略図である。
【図２】一例による、データを送信する方法を示すフローチャートである。
【図３】一例による、データを送信する方法を示すフローチャートである。
【図４】一例による、データを送信する方法を示すフローチャートである。
【図５】一例による、データを送信するための装置を示すブロック図である。
【図６】一例による、データを送信するための装置を示すブロック図である。
【図７】一例による、データを送信するための装置を示すブロック図である。
【図８】一例による、データを送信するための装置を示すブロック図である。
【図９】一例による、データを送信するためのデバイスを示すブロック図である。
【図１０】一例による、データを送信するためのデバイスを示すブロック図である。
【図１１】一例による、データを送信するためのシステムを示すブロック図である。
【発明を実施するための形態】
【００５０】
本開示の目的、技術的解決策、および利点をより明らかにするために、本開示の実施形態は、以下で添付の図面を参照しながら詳細にさらに説明される。
【００５１】
例示的な実施形態は、図面において表現されるその例とともに、ここで詳細に説明される。以下の説明が図面に関係するとき、異なる図面における同じ数字は、別段に示されない限り、同じまたは類似した要素を指す。以下の例示的な実施形態において説明される実装形態は、本開示に一致するすべての実装形態を表すとは限らない。むしろ、以下の例示的な実施形態において説明される実装形態は、添付の請求の範囲において詳述される本開示のいくつかの態様に一致する装置および方法の例にすぎない。
【００５２】
ＮＢ−ＩｏＴおよびＭＴＣは、２つのタイプのモノのインターネット技術として、低い電量消費量と広いエリアをもつ通信サービスに重点を置く。
【００５３】
カバレッジ能力を高めるために、ＵＥが基地局に何らかのアップリンク・データを繰り返し送信するように構成される送信繰り返し機構が、ＮＢ−ＩｏＴとＭＴＣの両方で導入されている。いくつかの実施形態では、最大減衰量（ＭＣＬ）は通常、カバレッジ能力を特徴づけるために適用され、ＮＢ−ＩｏＴの場合は最大１６４ｄｂ、ＭＴＣの場合は１５５．７ｄｂである。
【００５４】
さらに、送信遅延を減少させるために、ＮＢ−ＩｏＴとＭＴＣの両方が、ＥＤＴ技術とともに導入されることがあり、ＵＥは、ランダム・アクセス手順中にアップリンク・データを送信することができる。
【００５５】
しかしながら、現在、どのようにしてＥＤＴ技術において送信繰り返し機構を導入するか、すなわち、どのようにしてＥＤＴ技術においてＵＥにアップリンク・データを基地局に繰り返し送信させるかは、解決されるべき差し迫った問題になっている。
【００５６】
本開示の実施形態は、ＥＤＴ技術における、どのようにしてＵＥが基地局にアップリンク・データを繰り返し送信するかという問題を解決するために、データを送信する方法を提供する。データを送信する方法では、基地局は、ターゲット・ランダム・アクセス応答を通じてＵＥに繰り返し数標識情報を送ってよく、ＵＥは、繰り返し数標識情報およびターゲット送信ブロック・サイズ（ＴＢＳ、トランスポート・ブロック・サイズとして知られる）に基づいてターゲット送信繰り返し数を決定してよい。いくつかの実施形態では、ターゲット送信繰り返し数は、ＵＥが基地局にターゲット・アップリンク・データを繰り返し送信するように構成される回数を示し、このターゲット・アップリンク・データはランダム・アクセス手順中にＵＥによって送信され、ＵＥは、ターゲットＴＢＳ内で基地局にターゲット・アップリンク・データを送信する。次いで、ＵＥは、ＥＤＴ技術においてＵＥがアップリンク・データを繰り返し送信することを実現するように、ターゲット送信繰り返し数に従って、ランダム・アクセス手順中に基地局にターゲット・アップリンク・データを送信することがある。
【００５７】
本開示の実施形態による、データを送信する方法の実装環境は、以下のように説明される。
【００５８】
図１は、本開示の例による、データを送信する方法の実装環境を示す概略図である。図１に示されるように、実装環境に含まれる基地局１０とＵＥ２０があることがある。ＵＥ２０は、基地局１０によってサービスされるセル内のＵＥのいずれか１つである。基地局１０およびＵＥ２０は、ＮＢ−ＩｏＴ通信プロトコルまたはＭＴＣ通信プロトコルに基づいてデータ送信を実行し得る。
【００５９】
図２は、一例による、データを送信する方法を示すフローチャートである。図２に示されるように、データを送信する方法は、図１に示されるＵＥ２０に適用可能であり、以下のステップを含む。
【００６０】
ステップ２０１では、ＵＥが、基地局にターゲット・ランダム・アクセス・プリアンブルを送る。
【００６１】
ターゲット・ランダム・アクセス・プリアンブルは、ランダム・アクセス手順中にＵＥが基地局にターゲット・アップリンク・データを送信するように要求することを示す。言い換えれば、ターゲット・ランダム・アクセス・プリアンブルは、ＵＥが、ＥＤＴ技術を利用して基地局にターゲット・アップリンク・データを送信するように構成されることを示す。
【００６２】
ステップ２０２では、ＵＥが、ターゲット・ランダム・アクセス応答を受信し、このターゲット・ランダム・アクセス応答は、ターゲット・ランダム・アクセス・プリアンブルに基づいて基地局によって送られ、繰り返し数標識情報を搬送する。
【００６３】
ステップ２０３では、ＵＥが、ターゲット送信繰り返し数に従って、ランダム・アクセス手順中に基地局にターゲット・アップリンク・データを送信する。
【００６４】
いくつかの実施形態では、ターゲット送信繰り返し数は、ランダム・アクセス手順中にＵＥが基地局にターゲット・アップリンク・データを繰り返し送信するように構成される回数を示し、ターゲット送信繰り返し数は、繰り返し数標識情報およびターゲットＴＢＳに基づいて、ＵＥによって決定される。ターゲットＴＢＳは、ランダム・アクセス手順中にＵＥが基地局にターゲット・アップリンク・データを送信するためのものである。
【００６５】
前述の説明から、本開示の実施形態によって提供されるデータを送信する方法によれば、基地局によって送られるターゲット・ランダム・アクセス応答内で搬送される繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲットＴＢＳに基づいて決定される場合、ＥＤＴ技術におけるＵＥは、基地局にターゲット・アップリンク・データを繰り返し送信し、それによって、ＥＤＴ技術における、どのようにしてＵＥが基地局にアップリンク・データを繰り返し送信するかという問題を解決することができる。
【００６６】
図３は、一例による、データを送信する方法を示すフローチャートである。図３に示されるように、データを送信する方法は、図１に示される基地局１０に適用可能であり、以下のステップを含む。
【００６７】
ステップ３０１では、基地局が、ＵＥによって送られたターゲット・ランダム・アクセス・プリアンブルを受信する。
【００６８】
ターゲット・ランダム・アクセス・プリアンブルは、ランダム・アクセス手順中にＵＥが基地局にターゲット・アップリンク・データを送信するように要求することを示す。言い換えれば、ターゲット・ランダム・アクセス・プリアンブルは、ＵＥが、ＥＤＴ技術を利用して基地局にターゲット・アップリンク・データを送信するように構成されることを示す。
【００６９】
ステップ３０２では、基地局が、ターゲット・ランダム・アクセス・プリアンブルに基づいて、ＵＥにターゲット・ランダム・アクセス応答を送る。ターゲット・ランダム・アクセス応答は、繰り返し数標識情報を搬送する。
【００７０】
いくつかの実施形態では、繰り返し数標識情報は、ＵＥが繰り返し数標識情報およびターゲットＴＢＳに基づいてターゲット送信繰り返し数決定するために使用される。ターゲット送信繰り返し数は、ランダム・アクセス手順中にＵＥが基地局にターゲット・アップリンク・データを繰り返し送信するように構成される回数を示す。ターゲットＴＢＳは、ランダム・アクセス手順中にＵＥが基地局にターゲット・アップリンク・データを送信するためのものである。
【００７１】
ステップ３０３では、基地局が、ランダム・アクセス手順中にターゲット・アップリンク・データを受信する。ターゲット・アップリンク・データは、ターゲット送信繰り返し数に従ってＵＥによって送信される。
【００７２】
前述の説明から、本開示の実施形態によって提供されるデータを送信する方法によれば、ターゲット・ランダム・アクセス応答内で搬送される繰り返し数標識情報をＵＥに送ることによって、ＵＥは、ターゲット送信繰り返し数に従って、ランダム・アクセス手順中に基地局にターゲット・アップリンク・データを送信することができ、ターゲット送信繰り返し数が、ＵＥによって繰り返し数標識情報およびターゲットＴＢＳに基づいて決定され、したがって、ＥＤＴ技術におけるＵＥが、基地局にターゲット・アップリンク・データを繰り返し送信し、それによって、ＥＤＴ技術における、いかにしてＵＥが基地局にアップリンク・データを繰り返し送信するかという問題を解決することができる。
【００７３】
図４は、一例による、データを送信する方法を示すフローチャートである。図４に示されるように、データを送信する方法は、図１に示される実装環境に適用可能であり、以下のステップを含む。
【００７４】
ステップ４０１では、基地局は、現在のランダム・アクセス手順中に送信されることが可能な最大データ・パケットのサイズをブロードキャストする。
【００７５】
ＥＤＴ技術では、現在のネットワークのカバレッジ能力に従って、基地局は、現在のＥＤＴによってサポートされる最大データ・パケットのサイズ、すなわち、現在のランダム・アクセス手順中に送信されることが可能な最大データ・パケットの前述のサイズとして、通信プロトコルによってサポートされる最大ＥＤＴデータ・パケットのセットから１つの要素を選択し得る。最大ＥＤＴデータ・パケットのセットは、通信プロトコルによってサポートされる少なくとも１つの最大データ・パケットのサイズを含む。次いで、基地局は、ブロードキャストによって基地局によってサービスされるセル内のＵＥに現在のランダム・アクセス手順中に送信されることが可能な最大データ・パケットのサイズを送り得る。いくつかの実施形態では、現在のランダム・アクセス手順中に送信されることが可能な最大データ・パケットのサイズは、ＵＥが現在ランダム・アクセス手順中に基地局に送ることが可能であるデータの最大量のサイズを意味する。上述の通信プロトコルは、ＮＢ−ＩｏＴ通信プロトコルであってもよいし、ＭＴＣ通信プロトコルであってもよい。
【００７６】
実際の実装形態では、基地局によって選択される最大データ・パケットのサイズは、現在のネットワークのカバレッジ・キャパシティと正に相関し得る、すなわち、現在のネットワークのカバレッジ・キャパシティが強力であるほど、基地局によって選択される最大データ・パケットのサイズは大きくすることができる。一般的には、通信プロトコルによってサポートされる最大データ・パケットのサイズとしては、１０００ビット、９３６ビット、８０８ビット、６８０ビット、５８４ビット、５０４ビット、４０８ビット、３２８ビットなどがあり得る。
【００７７】
現在のランダム・アクセス手順中に送信されることが可能な最大データ・パケットのサイズをブロードキャストする以外に、基地局は、ターゲット・アップリンク・リソースの時間周波数位置をブロードキャストすることがある。ターゲット・アップリンク・リソースは、ランダム・アクセス・チャネル上で搬送され、ランダム・アクセス手順中にアップリンク・データを送信するように要求するためにランダム・アクセス・プリアンブルを搬送することができる。
【００７８】
ランダム・アクセス・プリアンブルは、一般に、ランダム・アクセス手順のメッセージ１として呼ばれることもあることに留意されたい。ＮＢ−ＩｏＴ通信プロトコルでは、ランダム・アクセス・チャネルは、通常、ＮＢ−ＩｏＴ物理ランダム・アクセス・チャネル（ＮＰＲＡＣＨ）と呼ばれることがある。
【００７９】
ステップ４０２では、ＵＥによって送信されることになるデータ・パケットのサイズが、現在のランダム・アクセス手順中に送信されることが可能な最大データ・パケットのサイズよりも大きくないとき、ＵＥが、基地局にターゲット・ランダム・アクセス・プリアンブルを送る。
【００８０】
基地局によってブロードキャストされる、現在のランダム・アクセス手順中に送信されることが可能な最大データ・パケットのサイズを受信した後、ＵＥは、それ自体によって送信されることになるデータ・パケットのサイズが、現在のランダム・アクセス手順中に送信されることが可能な最大データ・パケットのサイズよりも大きいかどうかを決定することができる。
【００８１】
ＵＥによって送信されることになるデータ・パケットのサイズが、現在のランダム・アクセス手順中に送信されることが可能な最大データ・パケットのサイズよりも大きいとき、それは、ＵＥが、ランダム・アクセス手順中にそれ自体によって送信されることになるデータ・パケットを送信することが可能でないことを意味する。この場合、ＵＥは、従来のランダム・アクセスを実行し、ランダム・アクセスが成功した後、ＵＥによって送信されることになるデータ・パケットを基地局に送信する。
【００８２】
ＵＥによって送信されることになるデータ・パケットのサイズが、現在のランダム・アクセス手順中に送信されることが可能な最大データ・パケットのサイズよりも大きくないとき、それは、ＵＥが、ランダム・アクセス手順中にそれ自体によって送信されることになるデータ・パケットを送信することが可能であることを意味する。この場合、ＵＥは、基地局によってブロードキャストされるその時間周波数位置に基づいてターゲット・アップリンク・リソースを決定し、ターゲット・アップリンク・リソースを通じて基地局にターゲット・ランダム・アクセス・プリアンブルを送ることがある。ターゲット・ランダム・アクセス・プリアンブルは、ランダム・アクセス手順中にターゲット・アップリンク・データを送信するために基地局に適用するように構成される。言い換えれば、ターゲット・ランダム・アクセス・プリアンブルは、ＵＥが、ランダム・アクセス手順中に基地局にターゲット・アップリンク・データを送信するように要求することを示す。いわゆるターゲット・アップリンク・データは、ここでは、上記で説明されたように、ＵＥによって送信されることになるデータ・パケットである。
【００８３】
ステップ４０３では、基地局は、ＵＥによって送られるターゲット・ランダム・アクセス・プリアンブルを受信した後、ターゲット・ランダム・アクセス・プリアンブルに基づいて、ＵＥにターゲット・ランダム・アクセス応答を送る。ターゲット・ランダム・アクセス応答は、繰り返し数標識情報を搬送する。
【００８４】
ターゲット・アップリンク・リソース上でターゲット・ランダム・アクセス・プリアンブルを受信した後、基地局は、ＵＥがランダム・アクセス手順中にターゲット・アップリンク・データを送信するように構成されると決定することがある。この場合、基地局は、ＵＥにターゲット・ランダム・アクセス応答（ＲＡＲ）を送ることがある。ターゲット・ランダム・アクセス応答は、繰り返し数標識情報を搬送することがある。本開示の１つまたは複数の実施形態では、ターゲット・ランダム・アクセス応答は、アップリンク・リソース標識情報も搬送することがある。ランダム・アクセス応答は、一般に、ランダム・アクセス手順のメッセージ２とも呼ばれることがあることに留意されたい。
【００８５】
アップリンク・リソース標識情報は、単一のターゲット・アップリンク・データ・パケットを送信するために基地局によってＵＥに割り当てられるアップリンク・リソースのサイズを示すことがある。アップリンク・リソースのサイズは、リソース・ユニット（ＲＵ）の数によって特徴づけられ得る。本開示の１つまたは複数の実施形態では、アップリンク・リソース標識情報は、ターゲット・ランダム・アクセス応答のためのアップリンク・スケジューリング・グラント（ＵＬグラント）内で搬送されることがある。１つまたは複数の実施形態では、アップリンク・リソース標識情報は、アップリンク・スケジューリング・グラントの変調符号化方式フィールド内の３ビットを占有することがある。
【００８６】
表１は、本開示の一実施形態による、現在のランダム・アクセス手順中に送信されることが可能な最大データ・パケットのサイズが１０００ビットであるときの、アップリンク・リソース標識情報とＲＵの数との間の例示的な対応関係を示す。
【表１】
2021525022.tif 000017
【００８７】
表１に示されるように、現在のランダム・アクセス手順中に送信されることが可能な最大データ・パケットのサイズが１０００ビットである環境下で、アップリンク・リソース標識情報が「０１１」であるとき、単一のターゲット・アップリンク・データ・パケットを送信するために基地局によってＵＥに割り当てられるアップリンク・リソースは３ＲＵであることが示される。
【００８８】
本開示の１つまたは複数の実施形態では、前述の繰り返し数標識情報も、ターゲット・ランダム・アクセス応答のためのアップリンク・スケジューリング・グラント内で搬送されることがある。繰り返し数標識情報に基づいて、ＵＥは、ＵＥがランダム・アクセス手順中に基地局にターゲット・アップリンク・データを繰り返し送信するように構成される回数を決定することがあり、これは、以下のステップで説明される。
【００８９】
ステップ４０４では、ＵＥが、基地局によって送られたターゲット・ランダム・アクセス応答を受信した後、ターゲットＴＢＳを決定する。
【００９０】
具体的には、ターゲットＴＢＳは、ＵＥがランダム・アクセス手順中に基地局にターゲット・アップリンク・データを送信するためのものである。
【００９１】
基地局によって送られたターゲット・ランダム・アクセス応答を受信した後、ＵＥは、基地局はランダム・アクセス手順中にＵＥがターゲット・アップリンク・データを送信することを可能にすると決定する。この場合、ＵＥは、それ自体によって送信されることになるデータ・パケットのサイズ、すなわち、ターゲット・アップリンク・データのサイズに基づいて、ターゲットＴＢＳを決定し得る。１つまたは複数の実施形態では、ターゲットＴＢＳは、ＵＥに利用可能なＴＢＳの中で、ＵＥによって送信されることになるデータ・パケットのサイズよりも大きいが、これからの最小差を有する。たとえば、現在のランダム・アクセス手順中に送信されることが可能な最大パケットのサイズが１０００ビットである場合、ＵＥに利用可能なＴＢＳは全部で４つある。３２８ビット、５３６ビット、７７６ビット、および１０００ビットである。ＵＥによって送信されることになるデータ・パケットのサイズが５００ビットである場合、ＵＥは、５３６ビットをターゲットＴＢＳとして決定し得る。
【００９２】
１つまたは複数の実施形態では、ＵＥは、基地局によってブロードキャストされ現在のランダム・アクセス手順中に送信されることが可能である最大データ・パケットのサイズ、すなわち、現在のＥＤＴによってサポートされる最大データ・パケットのサイズに基づいて、その利用可能なＴＢＳを決定することがある。表２は、本開示の一実施形態による、最大データ・パケットのサイズとＵＥに利用可能なＴＢＳとの間の対応関係の表である。
【表２】
2021525022.tif 000018
【００９３】
ターゲットＴＢＳを決定した後、ＵＥは、アップリンク・リソース標識情報によって示されるＲＵの数に基づいて、およびターゲットＴＢＳに基づいて、ターゲット・アップリンク・データのための変調符号化方式を決定し得る。通常、異なる変調符号化方式の下で、各ＲＵが搬送することが可能であるデータの量は、他とは異なる。たとえば、アップリンク・リソース標識情報によって示されるＲＵの数が４である、すなわち、単一のターゲット・アップリンク・データ・パケットを送信するために基地局によってＵＥに割り当てられるアップリンク・リソースが４つのＲＵであるとき、ＵＥは、ＵＥが、１つのＲＵによって搬送されるデータの平均量が８２ビットであり得る、ターゲットＴＢＳが３２８ビットであると決定する場合、４つのＲＵおよび３２８ビットに基づいて、ある変調符号化方式を選択してもよいし、ＵＥが、１つのＲＵによって搬送されるデータの平均量が２５０ビットであり得る、ターゲットＴＢＳが１０００ビットであると決定する場合、４つのＲＵおよび１０００ビットに基づいて、別の変調符号化方式を選択してもよい。
【００９４】
１つまたは複数の実施形態では、ターゲット・アップリンク・データのための変調符号化方式は、４相位相変調（ＱＰＳＫ）、１６直交振幅変調（１６ＱＡＭ）、６４直交振幅変調（６４ＱＡＭ）などであってよく、これらは、本開示の実施形態では具体的に限定されない。
【００９５】
ステップ４０５では、ＵＥが、繰り返し数標識情報およびターゲットＴＢＳに基づいて、ターゲット送信繰り返し数を決定する。
【００９６】
ターゲット送信繰り返し数は、ランダム・アクセス手順中にＵＥが基地局にターゲット・アップリンク・データを繰り返し送信するように構成される回数を示す。
【００９７】
一般に、同一のチャネル状態および割り当てられる同一のリソースの量の下で、ターゲット送信繰り返し数は、ターゲットＴＢＳによって影響され、これと正に相関する、すなわち、ターゲットＴＢＳが大きいほど、ターゲット送信繰り返し数も大きい。その理由は、より大きいターゲットＴＢＳは、ＵＥが基地局にターゲット・アップリンク・データを送信するより大きいビット・レートを必要とし、より大きいビット・レートの場合、ＵＥは、基地局がターゲット・アップリンク・データを正しく受信することができることを保証するために、より多くの回数、ターゲット・アップリンク・データを基地局に繰り返し送信しなければならないからである。さらに、ターゲット送信繰り返し数は、現在のチャネルの品質によっても影響され、これと負に相関する、すなわち、現在のチャネルの品質が優れているほど、ターゲット送信繰り返し数は小さい。その理由は、現在のチャネルの品質が優れているほど、ＵＥがターゲット・アップリンク・データを基地局に繰り返し送信する回数は、基地局がターゲット・アップリンク・データを正しく受信することができることを保証するのに十分なほど小さいからである。
【００９８】
上記に鑑みて、ターゲット送信繰り返し数は、ターゲットＴＢＳだけでなく現在のチャネルの品質によっても影響され、ＵＥにターゲット・ランダム・アクセス応答を送るとき、基地局は、ＵＥによって送信されることになるデータ・パケットのサイズを前もって知ることはできない、すなわち、基地局は、ＵＥによって選択されるターゲットＴＢＳを前もって知ることはできない。その結果、ＵＥは、ターゲットＴＢＳのみに基づいてターゲット送信繰り返し数を決定することはできず、基地局は、繰り返し数標識情報を通じて直接的にターゲット送信繰り返し数を示すことはできない。したがって、本開示のいくつかの実施形態では、ＵＥは、繰り返し数標識情報およびターゲットＴＢＳに基づいてターゲット送信繰り返し数を決定するように構成される。１つまたは複数の実施形態では、繰り返し数標識情報は、現在のチャネルの品質に基づいて基地局によって生成されることがある。
【００９９】
本開示のいくつかの実施形態によれば、ＵＥが繰り返し数標識情報およびターゲットＴＢＳに基づいてターゲット送信繰り返し数を決定するための２つの例示的な手段が提供される。
【０１００】
第１の手段では、ＵＥが、繰り返し数標識情報に基づいて、ＵＥが記憶する対応関係の少なくとも１つのセットから対応関係のターゲット・セットを決定し、次いで、ターゲットＴＢＳに対応する送信繰り返し数を取得してターゲット送信繰り返し数として決定するために、ターゲットＴＢＳに基づいて対応関係のターゲット・セットを問い合わせる。
【０１０１】
このようにして、基地局は、上位層シグナリングを通じて前もってＵＥに対応関係の少なくとも１つのセットを送り得る。特に、対応関係の少なくとも１つのセットの各々は、少なくとも１つの対応関係を含んでよく、この対応関係は、ＴＢＳと送信繰り返し数との間のものである。
【０１０２】
表３は、上位層シグナリングを通じて基地局からＵＥに送られる対応関係の４つの例示的なセットを示す。
【表３】
2021525022.tif 000019
【０１０３】
表３によれば、対応関係のセット１は、４つの対応関係、すなわち、ＴＢＳ１−ｒｅｐ＿１１と、ＴＢＳ２−ｒｅｐ＿２１と、ＴＢＳ３−ｒｅｐ＿３１と、ＴＢＳ４−ｒｅｐ＿４１とを含む。具体的には、ＴＢＳ−ｒｅｐ＿１１は、ＴＢＳ１と送信繰り返し数ｒｅｐ＿１１との間の対応関係であり、他の対応関係は同じルールに従っており、本開示の実施形態では、ここで繰り返されない。
【０１０４】
実際の実装形態では、基地局によってＵＥに送られる対応関係のセットは、第１の対応関係と第２の対応関係とを含んでよい。具体的には、第１の対応関係は、互いに対応する、第１のＴＢＳと第１の送信繰り返し数とを含み、第２の対応関係は、互いに対応する、第２のＴＢＳと数標識情報とを含む。数標識情報は、第１の送信繰り返し数に対する、第２のＴＢＳに対応する第２の送信繰り返し数の相対的関係を示す。１つまたは複数の実施形態では、第１の送信繰り返し数に対する第２の送信繰り返し数の相対的関係は、第２の送信繰り返し数と第１の送信繰り返し数との差を指す。
【０１０５】
たとえば、上記で表３に示される対応関係のセット１に含まれる４つの対応関係の場合、ＴＢＳ１−ｒｅｐ＿１１は第１の対応関係であってよく、ＴＢＳ２−ｒｅｐ＿２１、ＴＢＳ３−ｒｅｐ＿３１、およびＴＢＳ４−ｒｅｐ＿４１は第２の対応関係であってよい。第１の対応関係では、ｒｅｐ＿１１は、ＴＢＳ１に対応する送信繰り返し数であり、絶対値である。しかしながら、第２の対応関係では、ｒｅｐ＿２１、ｒｅｐ＿３１、およびｒｅｐ＿４１はそれぞれ、数標識情報として、ＴＢＳ２に対応する送信繰り返し数とｒｅｐ＿１１との差、ＴＢＳ３に対応する送信繰り返し数とｒｅｐ＿１１との差、およびＴＢＳ４に対応する送信繰り返し数とｒｅｐ＿１１との差を示す。
【０１０６】
上位層シグナリングを通じて基地局によって送られる対応関係の少なくとも１つのセットの場合、ＵＥは、それを受信したとき、それをローカルに記憶してよい。
【０１０７】
ＵＥによって送られるターゲット・ランダム・アクセス・プリアンブルを受信した後、基地局は、現在のチャネルの品質に基づいて繰り返し数標識情報を生成し、それを、ターゲット・ランダム・アクセス応答を通じてＵＥに送ることがある。繰り返し数標識情報は、対応関係の少なくとも１つのセットにおける、対応関係の１つのセット、すなわち、対応関係のターゲット・セットを示すことがある。
【０１０８】
ターゲット・ランダム・アクセス応答を受信した後、ＵＥは、ターゲット・ランダム・アクセス応答から繰り返し数標識情報を抽出することがある。次いで、ＵＥは、繰り返し数標識情報に基づいて対応関係のターゲット・セットを決定し、ターゲットＴＢＳに対応する送信繰り返し数を取得するためにターゲットＴＢＳに基づいて対応関係のターゲット・セットを問い合わせ、送信繰り返し数をターゲット送信繰り返し数として決定することがある。
【０１０９】
たとえば、ターゲット・ランダム・アクセス応答を通じて基地局によって送られる繰り返し数標識情報によって示される対応関係のターゲット・セットは、表２に示される対応関係のセット１であり、ＵＥは、ＴＢＳ１がターゲットＴＢＳであると決定している。したがって、ＵＥは、ＴＢＳ１に対応する送信繰り返し数すなわちｒｅｐ＿１１を取得するためにＴＢＳ１に基づいて対応関係のセット１を問い合わせ、次いで、ｒｅｐ＿１１をターゲット送信繰り返し数として決定し得る。
【０１１０】
第２の手段では、繰り返し数標識情報は、第３の送信繰り返し数を示し得る。具体的には、第３の送信繰り返し数は第３のＴＢＳに対応し、ＵＥは、ターゲットＴＢＳ、第３のＴＢＳ、および第３の送信繰り返し数に基づいて、ターゲット送信繰り返し数を決定し得る。
【０１１１】
このようにして、基地局は、現在のチャネルの品質に基づいて送信繰り返し数のセットを決定し得る。送信繰り返し数のセットは、通信プロトコルによってサポートされる送信繰り返し数のうちの少なくとも１つを含み、少なくとも１つの送信繰り返し数の各々に対応するＴＢＳも含んでよい。次いで、基地局は、上位層シグナリングを通じてＵＥに送信繰り返し数のセットを送る。送信繰り返し数のセットの場合、ＵＥは、それを受信するとローカルに記憶してよい。
【０１１２】
ＵＥによって送られるターゲット・ランダム・アクセス・プリアンブルを受信した後、基地局は、送信繰り返し数のセットから送信繰り返し数、すなわち、第３の送信繰り返し数を選択することがある。１つまたは複数の実施形態では、基地局によって選択される送信繰り返し数は、送信繰り返し数のセットにおいて最小送信繰り返し数または最大送信繰り返し数であってよい。
【０１１３】
次いで、基地局は選択された送信繰り返し数、すなわち、第３の送信繰り返し数を示すための繰り返し数標識情報、を生成し、ターゲット・ランダム・アクセス応答を通じてＵＥに繰り返し数標識情報を送ることがある。
【０１１４】
ターゲット・ランダム・アクセス応答を受信した後、ＵＥは、ターゲット・ランダム・アクセス応答から繰り返し数標識情報を抽出し、次いで、ターゲットＴＢＳ、第３のＴＢＳ、および第３の送信繰り返し数に基づいて、ターゲット送信繰り返し数を決定することがある。
【０１１５】
本開示の実施形態によれば、ＵＥがターゲットＴＢＳ、第３のＴＢＳ、および第３の送信繰り返し数に基づいてターゲット送信繰り返し数を決定するための２つの可能な実装形態が提供される。
【０１１６】
第１の可能な実装形態では、ＵＥは、第３のＴＢＳに対するターゲットＴＢＳの相対的関係に基づいて第３の送信繰り返し数に対するターゲット送信繰り返し数の第１の相対的関係を決定し得る。次いで、ＵＥは、第１の相対的関係および第３の送信繰り返し数に基づいて、ターゲット送信繰り返し数を決定し得る。
【０１１７】
１つまたは複数の実施形態では、第３のＴＢＳに対するターゲットＴＢＳの相対的関係は、第３のＴＢＳに対するターゲットＴＢＳの比例関係であってよく、第１の相対的関係は、第３の送信繰り返し数に対するターゲット送信繰り返し数の比例関係であってよい。
【０１１８】
この実装形態では、ターゲット送信繰り返し数は、式ｒｅｐ＿ｘ＊（ＴＢＳ＿ｙ／ＴＢＳ＿ｘ）と関連づけられる。特定の実施形態では、ＵＥは、第１の式すなわち
ｒｅｐ＿ｙ＝ｃｅｉｌ［ｒｅｐ＿ｘ＊（ＴＢＳ＿ｙ／ＴＢＳ＿ｘ）］
に基づいて、ターゲット送信繰り返し数を計算することがあり、上式で、ｒｅｐ＿ｙはターゲット送信繰り返し数、ｃｅｉｌはシーリング演算子（ｃｅｉｌｉｎｇ  ｏｐｅｒａｔｏｒ）、ｒｅｐ＿ｘは第３の送信繰り返し数、ＴＢＳ＿ｙはターゲットＴＢＳ、ＴＢＳ＿ｘは第３のＴＢＳである。
【０１１９】
第２の可能な実装形態では、ＵＥは、第３のＴＢＳに対するターゲットＴＢＳの相対的関係に基づいて第３の送信繰り返し数に対する基準送信繰り返し数の第２の相対的関係を決定し得る。次いで、ＵＥは、第２の相対的関係および第３の送信繰り返し数に基づいて、基準送信繰り返し数を決定し、基準送信繰り返し数に基づいてターゲット送信繰り返し数を決定し得る。
【０１２０】
１つまたは複数の実施形態では、第３のＴＢＳに対するターゲットＴＢＳの相対的関係は、第３のＴＢＳに対するターゲットＴＢＳの比例関係であってよく、第２の相対的関係は、第３の送信繰り返し数に対する基準送信繰り返し数の比例関係であってよい。
【０１２１】
この実装形態では、基準送信繰り返し数は、式ｒｅｐ＿ｘ＊（ＴＢＳ＿ｙ／ＴＢＳ＿ｘ）と関連づけられる。特定の実施形態では、ＵＥは、第２の式すなわち
ｒｅｐ＿ｚ＝ｃｅｉｌ［ｒｅｐ＿ｘ＊（ＴＢＳ＿ｙ／ＴＢＳ＿ｘ）］
に基づいて、基準送信繰り返し数を計算することがあり、上式で、ｒｅｐ＿ｚは基準送信繰り返し数、ｃｅｉｌはシーリング演算子、ｒｅｐ＿ｘは第３の送信繰り返し数、ＴＢＳ＿ｙはターゲットＴＢＳ、ＴＢＳ＿ｘは第３のＴＢＳである。
【０１２２】
本開示の実施形態によれば、ＵＥが基準送信繰り返し数に基づいてターゲット送信繰り返し数を決定するための２つの可能な実装形態が提供される。
【０１２３】
第１の可能な実装形態では、ＵＥは、基準送信繰り返し数に基づいてターゲット送信繰り返し数を決定する。任意選択の実施形態では、最小差は、正の値または絶対値であるように構成され得る。たとえば、最小差が正の値であることが構成されるとき、ターゲット送信繰り返し数は、値のターゲット・セットの中の、基準送信繰り返し数よりも大きく、基準送信繰り返し数からの最小差値を有する値である。ターゲット送信繰り返し数は、値のターゲット・セットの中の、基準送信繰り返し数からの最小差を有する値である。値のターゲット・セットは少なくとも１つの値を含み、値のターゲット・セットに含まれる各値は、第１のあらかじめ設定された値の整数倍または第２のあらかじめ設定された値の整数乗である。
【０１２４】
１つまたは複数の実施形態では、第１のあらかじめ設定された値と第２のあらかじめ設定された値は、同一であってもよいし、異なってもよい。本開示の１つまたは複数の実施形態では、第１のあらかじめ設定された値と第２のあらかじめ設定された値の両方が２であることがある。
【０１２５】
第２の可能な実装形態では、ＵＥは、基準送信繰り返し数に基づいてターゲット送信繰り返し数を決定する。ターゲット送信繰り返し数は、基準送信繰り返し数からの最小差を有する、通信プロトコルによってサポートされる送信繰り返し数の１つである。任意選択の実施形態では、最小差は、正の値または絶対値であるように構成され得る。たとえば、最小差が正の値であることが構成されるとき、ターゲット送信繰り返し数は、基準送信繰り返し数よりも大きく、基準送信繰り返し数から最小差値を有する、通信プロトコルによってサポートされる送信繰り返し数の１つである。
【０１２６】
ステップ４０６では、ＵＥが、ターゲット送信繰り返し数に従って、ランダム・アクセス手順中に基地局にターゲット・アップリンク・データを送信する。
【０１２７】
ＥＤＴ技術では、ＵＥは、ランダム・アクセス手順のメッセージ３を通じて基地局にターゲット・アップリンク・データを送信し得る。
【０１２８】
ＵＥは、アップリンク・リソース標識情報およびターゲットＴＢＳによって示されるＲＵの数に基づいてそれ自体によって決定される変調符号化方式に従ってターゲット・アップリンク・データを変調および符号化し、次いで、変調および符号化されたターゲット・アップリンク・データを基地局に繰り返し送信することがある。特に、ＵＥが変調および符号化されたターゲット・アップリンク・データを基地局に繰り返し送信するように構成される回数が、ターゲット送信繰り返し数によって示される。
【０１２９】
ステップ４０７では、ランダム・アクセス手順中に、基地局が、ターゲット送信繰り返し数に従ってＵＥによって送信されたターゲット・アップリンク・データを受信する。
【０１３０】
ステップ４０７の場合、基地局は、ＵＥによって選択されたターゲットＴＢＳを前もって知ることはできないので、基地局は、ターゲット・アップリンク・データが正しく受信されることが可能であるＴＢＳ、すなわち、ターゲットＴＢＳを取得するまで、利用可能なＴＢＳをもつターゲット・アップリンク・データを搬送するアップリンク・リソースを順次テストすることがある。
【０１３１】
基地局は、ターゲットＴＢＳおよび繰り返し数標識情報に基づいてターゲット送信繰り返し数を決定し、ターゲット送信繰り返し数に従って、ＵＥによって送信されたターゲット・アップリンク・データを受信することがある。
【０１３２】
本開示は、ＵＥに適用可能である、データを送信するための方法であって、
ランダム・アクセス手順中にＵＥがターゲット・アップリンク・データを基地局に送信するように要求することを示すために、基地局にターゲット・ランダム・アクセス・プリアンブルを送ることと、
基地局からターゲット・ランダム・アクセス・プリアンブルと関連づけられたターゲット・ランダム・アクセス応答を受信することであって、ターゲット・ランダム・アクセス応答は、繰り返し数標識情報を搬送し、繰り返し数標識情報は、第３のＴＢＳに対応する第３の送信繰り返し数を示す、受信することと、
ターゲットＴＢＳ、第３のＴＢＳ、および第３の送信繰り返し数に基づいて基準送信繰り返し数を決定することであって、この基準送信繰り返し数は、式ｒｅｐ＿ｘ＊（ＴＢＳ＿ｙ／ＴＢＳ＿ｘ）と関連づけられ、は第３の送信繰り返し数、はターゲットＴＢＳ、は第３のＴＢＳであり、ターゲットＴＢＳは、ランダム・アクセス手順中にＵＥが基地局にターゲット・アップリンク・データを送信するためのものである、決定することと、
基準送信繰り返し数に基づいてターゲット送信繰り返し数を決定することであって、このターゲット送信繰り返し数は、ランダム・アクセス手順中にＵＥが基地局にターゲット・アップリンク・データを繰り返し送信するように構成される回数を示し、ターゲット送信繰り返し数は、値のターゲット・セットの中の、基準送信繰り返し数よりも大きく、基準送信繰り返し数からの最小差値を有する値である、決定することと、
ターゲット送信繰り返し数に従って、ランダム・アクセス手順中に基地局にターゲット・アップリンク・データを送信することと
を含む方法も提供する。
【０１３３】
一実施形態では、値のターゲット・セットは少なくとも１つの値を含み、値のターゲット・セットに含まれる各値は、第１のあらかじめ設定された値の整数倍または第２のあらかじめ設定された値の整数乗である。
【０１３４】
本開示は、基地局に適用可能である、データを送信するための方法であって、
ユーザ機器からターゲット・ランダム・アクセス・プリアンブルを受信することであって、このターゲット・ランダム・アクセス・プリアンブルは、ランダム・アクセス手順中にＵＥが基地局にターゲット・アップリンク・データを送信するように要求することを示す、受信することと、
ターゲット・ランダム・アクセス・プリアンブルと関連づけられたターゲット・ランダム・アクセス応答をＵＥに送ることであって、
このターゲット・ランダム・アクセス応答は繰り返し数標識情報を搬送し、繰り返し数標識情報は、第３のＴＢＳに対応する第３の送信繰り返し数を示し、
第３のＴＢＳおよび第３の送信繰り返し数は、ターゲットＴＢＳと組み合わせて、ＵＥが基準送信繰り返し数を決定するためのものであり、ターゲットＴＢＳは、ランダム・アクセス手順中にＵＥがターゲット・アップリンク・データを基地局に送信するためのものであり、
基準送信繰り返し数は、式ｒｅｐ＿ｘ＊（ＴＢＳ＿ｙ／ＴＢＳ＿ｘ）と関連づけられ、は第３の送信繰り返し数、はターゲットＴＢＳ、は第３のＴＢＳであり、
基準送信繰り返し数は、ＵＥがターゲット送信繰り返し数を決定するためのものであり、このターゲット送信繰り返し数は、ランダム・アクセス手順中にＵＥが基地局にターゲット・アップリンク・データを繰り返し送信するように構成される回数を示し、ターゲット送信繰り返し数は、値のターゲット・セットの中の、基準送信繰り返し数よりも大きく、基準送信繰り返し数からの最小差値を有する値である、
送ることと、
ランダム・アクセス手順中に、ターゲット送信繰り返し数に従ってユーザ機器によって送信されたターゲット・アップリンク・データを受信することと
を含む方法をさらに提供する。
【０１３５】
一実施形態では、値のターゲット・セットは少なくとも１つの値を含み、値のターゲット・セットに含まれる各値は、第１のあらかじめ設定された値の整数倍または第２のあらかじめ設定された値の整数乗である。
【０１３６】
前述の説明から、本開示の実施形態によって提供されるデータを送信する方法によれば、基地局によって送られるターゲット・ランダム・アクセス応答内で搬送される繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲットＴＢＳに基づいて決定される場合、ＥＤＴ技術におけるＵＥは、基地局にターゲット・アップリンク・データを繰り返し送信し、それによって、ＥＤＴ技術における、どのようにしてＵＥが基地局にアップリンク・データを繰り返し送信するかという問題を解決することができる。
【０１３７】
図５は、一例による、データを送信するための装置５００を示すブロック図である。データを送信するための装置５００は、図１に示されるＵＥ２０内に設置されてよい。図５を参照すると、データを送信するための装置５００は、第１の送出モジュール５０１と、受信モジュール５０２と、第２の送出モジュール５０３とを含む。
【０１３８】
第１の送出モジュール５０１は、ランダム・アクセス手順中にＵＥがターゲット・アップリンク・データを基地局に送信するように要求することを示すために、基地局にターゲット・ランダム・アクセス・プリアンブルを送るように構成される。
【０１３９】
受信モジュール５０２は、ターゲット・ランダム・アクセス応答を受信するように構成される。このターゲット・ランダム・アクセス応答は、ターゲット・ランダム・アクセス・プリアンブルに基づいて基地局によって送られ、繰り返し数標識情報を搬送する。
【０１４０】
第２の送出モジュール５０３は、ターゲット送信繰り返し数に従って、ランダム・アクセス手順中に基地局にターゲット・アップリンク・データを送信するように構成される。
【０１４１】
いくつかの実施形態では、ターゲット送信繰り返し数は、ランダム・アクセス手順中にＵＥが基地局にターゲット・アップリンク・データを繰り返し送信するように構成される回数を示し、ターゲット送信繰り返し数は、繰り返し数標識情報およびターゲットＴＢＳに基づいて決定される。ターゲットＴＢＳは、ランダム・アクセス手順中にＵＥが基地局にターゲット・アップリンク・データを送信するためのものである。
【０１４２】
本開示の１つまたは複数の実施形態では、繰り返し数標識情報は、ターゲット・ランダム・アクセス応答のためのアップリンク・スケジューリング・グラント内で搬送される。
【０１４３】
図６に示されるように、本開示の一実施形態によれば、データを送信するための別の装置６００が提供される。データを送信するための装置５００によって含まれるモジュールに加えて、データを送信するための装置６００は、第１の数決定モジュール５０４を含む。
【０１４４】
図７に示されるように、本開示の一実施形態によれば、データを送信するための別の装置７００が提供される。データを送信するための装置５００によって含まれるモジュールに加えて、データを送信するための装置７００は、第２の数決定モジュール５０５を含む。
【０１４５】
ここで、データを送信するための装置５００によって含まれるモジュールに基づいて、本開示の実施形態による、データを送信するための装置は、第１の数決定モジュール５０４と、第２の数決定モジュール５０５とを同時に含んでよい。
【０１４６】
本開示の１つまたは複数の実施形態では、対応関係の少なくとも１つのセットは、ＵＥ内に記憶される。対応関係の少なくとも１つのセットの各々は、ＴＢＳと送信繰り返し数との間の少なくとも１つの対応関係を含む。第１の数決定モジュール５０４は、
繰り返し数標識情報に基づいて、対応関係の少なくとも１つのセットから対応関係のターゲット・セットを決定するように構成されたセット決定サブモジュールと、
ターゲットＴＢＳに対応する送信繰り返し数を取得するためにターゲットＴＢＳに基づいて対応関係のターゲット・セットを問い合わせるように構成された問い合わせサブモジュールと、
ターゲットＴＢＳに対応する送信繰り返し数をターゲット送信繰り返し数として決定するように構成される第１の数決定サブモジュールと
を含む。
【０１４７】
本開示の１つまたは複数の実施形態では、対応関係の少なくとも１つのセットは、上位層シグナリングを通じてＵＥに基地局によって送られる。
【０１４８】
本開示の１つまたは複数の実施形態では、対応関係のセットは、互いに対応する、第１のＴＢＳと第１の送信繰り返し数との間の第１の対応関係と、互いに対応する、第２のＴＢＳと数標識情報との間の第２の対応関係とを含む。数標識情報は、第１の送信繰り返し数に対する、第２のＴＢＳに対応する第２の送信繰り返し数の相対的関係を示す。
【０１４９】
本開示の１つまたは複数の実施形態では、繰り返し数標識情報は、第３のＴＢＳに対応する第３の送信繰り返し数を示す。第２の数決定モジュール５０５は、ターゲットＴＢＳ、第３のＴＢＳ、および第３の送信繰り返し数に基づいて、ターゲット送信繰り返し数を決定するように構成される。
【０１５０】
本開示の１つまたは複数の実施形態では、第３の送信繰り返し数は、送信繰り返し数のセットに含まれる。送信繰り返し数のセットは、通信プロトコルによってサポートされる送信繰り返し数のうちの少なくとも１つを含み、上位層シグナリングを通じて基地局によってＵＥに送られる。
【０１５１】
本開示の１つまたは複数の実施形態では、第２の数決定モジュール５０５は、
ターゲットＴＢＳと第３のＴＢＳとの間の相対的関係に基づいて第３の送信繰り返し数に対するターゲット送信繰り返し数の第１の相対的関係を決定するように構成された第１の関係決定サブモジュールであって、第１の相対的関係は、第３の送信繰り返し数に対するターゲット送信繰り返し数の相対的関係である、第１の関係決定サブモジュールと、
第１の相対的関係および第３の送信繰り返し数に基づいてターゲット送信繰り返し数を決定するように構成された第２の数決定サブモジュールと
を含む。
【０１５２】
本開示の１つまたは複数の実施形態では、第２の数決定モジュール５０５は、
第３のＴＢＳに対するターゲットＴＢＳの相対的関係に基づいて第３の送信繰り返し数に対する基準送信繰り返し数の第２の相対的関係を決定するように構成された第２の関係決定サブモジュールと、
第２の相対的関係および第３の送信繰り返し数に基づいて基準送信繰り返し数を決定するように構成された第３の数決定サブモジュールと、
基準送信繰り返し数に基づいてターゲット送信繰り返し数を決定するように構成された第４の数決定サブモジュールと
を含む。
【０１５３】
本開示の１つまたは複数の実施形態では、第４の数決定サブモジュールは、具体的には、基準送信繰り返し数に基づいて、値のターゲット・セットの中の、基準送信繰り返し数からの最小差を有する値であるターゲット送信繰り返し数を決定するように構成される。値のターゲット・セットは少なくとも１つの値を含み、少なくとも１つの値の各々は、第１のあらかじめ設定された値の整数倍または第２のあらかじめ設定された値の整数乗である。
【０１５４】
本開示の１つまたは複数の実施形態では、第４の数決定サブモジュールは、具体的には、基準送信繰り返し数に基づいて、基準送信繰り返し数からの最小差を有する、通信プロトコルによってサポートされる送信繰り返し数の１つであるターゲット送信繰り返し数を決定するように構成される。
【０１５５】
前述の説明から、本開示の実施形態によって提供されるデータを送信するための装置によれば、基地局によって送られるターゲット・ランダム・アクセス応答内で搬送される繰り返し数標識情報を受信し、ターゲット送信繰り返し数に従って、ランダム・アクセス手順中に基地局にターゲット・アップリンク・データを送信することによって、ターゲット送信繰り返し数が繰り返し数標識情報およびターゲットＴＢＳに基づいて決定される場合、ＥＤＴ技術におけるＵＥは、基地局にターゲット・アップリンク・データを繰り返し送信し、それによって、ＥＤＴ技術における、どのようにしてＵＥが基地局にアップリンク・データを繰り返し送信するかという問題を解決することができる。
【０１５６】
上記の実施形態における装置に関して、各モジュールがその動作を実行する具体的な様式は、関連方法の実施形態において詳細に説明されており、本明細書では繰り返されない。
【０１５７】
図８は、一例による、データを送信するための装置８００を示すブロック図である。データを送信するための装置８００は、図１に示される基地局１０内に設置されてよい。図８を参照すると、データを送信するための装置８００は、第１の受信モジュール７０１と、送出モジュール７０２と、第２の受信モジュール７０３とを含む。
【０１５８】
第１の受信モジュール７０１は、ＵＥによって送られたターゲット・ランダム・アクセス・プリアンブルを受信するように構成される。ターゲット・ランダム・アクセス・プリアンブルは、ランダム・アクセス手順中にＵＥが基地局にターゲット・アップリンク・データを送信するように要求することを示す。
【０１５９】
送出モジュール７０２は、ターゲット・ランダム・アクセス・プリアンブルに基づいてＵＥにターゲット・ランダム・アクセス応答を送るように構成される。このターゲット・ランダム・アクセス応答は、ＵＥが繰り返し数標識情報およびターゲットＴＢＳに基づいてターゲット送信繰り返し数を決定するための繰り返し数標識情報を搬送する。ターゲット送信繰り返し数は、ランダム・アクセス手順中にＵＥが基地局にターゲット・アップリンク・データを繰り返し送信するように構成される回数を示し、ターゲットＴＢＳは、ランダム・アクセス手順中にＵＥが基地局にターゲット・アップリンク・データを送信するためのものである。
【０１６０】
第２の受信モジュール７０３は、ランダム・アクセス手順中に、ターゲット送信繰り返し数に従ってＵＥによって送信されたターゲット・アップリンク・データを受信するように構成される。
【０１６１】
本開示の１つまたは複数の実施形態では、繰り返し数標識情報は、ＵＥ内に記憶される対応関係の少なくとも１つのセットから対応関係のターゲット・セットを決定するようにＵＥに指示するように構成される。対応関係のターゲット・セットは、ＵＥがターゲットＴＢＳに基づいて、ターゲットＴＢＳに対応する送信繰り返し数を取得してターゲット送信繰り返し数として決定するために問い合わせるためのものである。
【０１６２】
１つまたは複数の実施形態では、対応関係の少なくとも１つのセットの各々は、ＴＢＳと送信繰り返し数との間の少なくとも１つの対応関係を含む。
【０１６３】
本開示の１つまたは複数の実施形態では、対応関係の少なくとも１つのセットは、上位層シグナリングを通じてＵＥに基地局によって送られる。
【０１６４】
本開示の１つまたは複数の実施形態では、対応関係のセットは、互いに対応する、第１のＴＢＳと第１の送信繰り返し数との間の第１の対応関係と、互いに対応する、第２のＴＢＳと数標識情報との間の第２の対応関係とを含む。数標識情報は、第１の送信繰り返し数に対する、第２のＴＢＳに対応する第２の送信繰り返し数の相対的関係を示す。
【０１６５】
本開示の１つまたは複数の実施形態では、繰り返し数標識情報は、第３の送信繰り返し数を示す。第３の送信繰り返し数は、第３のＴＢＳに対応する。第３の送信繰り返し数および第３のＴＢＳは、ターゲットＴＢＳと組み合わせて、ＵＥがターゲット送信繰り返し数を決定するためのものである。
【０１６６】
本開示の１つまたは複数の実施形態では、第３の送信繰り返し数は、送信繰り返し数のセットに含まれる。送信繰り返し数のセットは、通信プロトコルによってサポートされる送信繰り返し数のうちの少なくとも１つを含み、上位層シグナリングを通じて基地局によってＵＥに送られる。
【０１６７】
本開示の１つまたは複数の実施形態では、繰り返し数標識情報は、ターゲット・ランダム・アクセス応答のためのアップリンク・スケジューリング・グラント内で搬送される。
【０１６８】
前述の説明から、本開示の実施形態によって提供されるデータを送信する装置によれば、ターゲット・ランダム・アクセス応答内で搬送される繰り返し数標識情報をＵＥに送ることによって、ＵＥは、ターゲット送信繰り返し数に従って、ランダム・アクセス手順中に基地局にターゲット・アップリンク・データを送信することができ、ターゲット送信繰り返し数が、ＵＥによって繰り返し数標識情報およびターゲットＴＢＳに基づいて決定され、したがって、ＥＤＴ技術におけるＵＥが、基地局にターゲット・アップリンク・データを繰り返し送信し、それによって、ＥＤＴ技術における、いかにしてＵＥが基地局にアップリンク・データを繰り返し送信するかという問題を解決することができる。
【０１６９】
上記の実施形態における装置に関して、各モジュールがその動作を実行する具体的な様式は、関連方法の実施形態において詳細に説明されており、本明細書では繰り返されない。
【０１７０】
図９は、一例による、データを送信するためのデバイス９００を示すブロック図である。たとえば、デバイス９００は、インテリジェント積算電力計、シェア自転車、インテリジェントＴＶ、インテリジェント・エア・コン、インテリジェント温度コレクタ、またはインテリジェント湿度コレクト・コンポーネントなどの、ＮＢ−ＩｏＴまたはＭＴＣに基づいてモノのインターネット通信をサポートする端末であってよい。
【０１７１】
図９に示されるように、デバイス９００は、以下の構成要素、すなわち、処理構成要素８０２、メモリ８０４、電力供給構成要素８０６、マルチメディア構成要素８０８、オーディオ構成要素８１０、入力／出力（Ｉ／Ｏ）インタフェース８１２、センサ構成要素８１４、および通信構成要素８１６のうちの１つまたは複数を含んでよい。
【０１７２】
処理構成要素８０２は、一般に、表示、通話、データ通信、カメラ動作、および記録動作と関連づけられた動作などの、デバイス９００の全体的な動作を制御する。処理要素８０２は、上記の方法実施形態においてＵＥ２０によって動作されるステップのすべてまたは一部を完了するために命令を実行する１つまたは複数のプロセッサ８２０を含んでよい。さらに、処理構成要素８０２は、処理構成要素８０２と他の構成要素との間の相互作用を容易にするために１つまたは複数のモジュールを含んでよい。たとえば、処理構成要素８０２は、マルチメディア構成要素８０８と処理構成要素８０２との間の相互作用を容易にするためにマルチメディア・モジュールを含んでよい。
【０１７３】
メモリ８０４は、デバイス９００の動作をサポートするために、さまざまなタイプのデータを記憶するように構成される。そのようなデータの例としては、デバイス９００上で動作される任意の適用例または方法のための命令、連絡先データ、電話帳データ、メッセージ、写真、ビデオなどがある。メモリ８０４は、スタティック・ランダム・アクセス・メモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、ディスク、または光ディスクなどの、任意のタイプの揮発性記憶デバイスまたは不揮発性記憶デバイスまたはそれらの組み合わせによって実施されてよい。
【０１７４】
電力供給構成要素８０６は、デバイス９００のさまざまな構成要素に電力を提供する。電力供給構成要素８０６は、電力管理システムと、１つまたは複数の電源と、デバイス９００のために電力を生成、管理、および配電することと関連づけられた他の構成要素とを含んでよい。
【０１７５】
マルチメディア構成要素８０８は、デバイス９００とユーザとの間の出力インタフェースを提供するスクリーンを含む。いくつかの実施形態では、スクリーンは、液晶ディスプレイ（ＬＣＤ）と、タッチ・パネル（ＴＰ）とを含んでよい。スクリーンがＴＰを含む場合、スクリーンは、ユーザから入力信号を受信するためにタッチ・スクリーンとして実施され得る。ＴＰは、ＴＰ上でのタッチ、スワイプ、およびジェスチャを感知するために１つまたは複数のタッチ・センサを含んでよい。タッチ・センサは、タッチまたはスワイプの境界を感知するだけでなく、タッチまたはスワイプと関連づけられた持続時間および圧力も感知し得る。いくつかの実施形態では、マルチメディア構成要素８０８は、前部カメラおよび／または後部カメラを含む。前部カメラおよび／または後部カメラは、デバイス９００が撮影モードまたはビデオ・モードなどの動作モードであるとき、外部マルチメディア・データを受信し得る。各前部カメラおよび各後部カメラは、固定された光学レンズ・システムであってもよいし、焦点距離および光学的ズーム能力を有してもよい。
【０１７６】
オーディオ構成要素８１０は、オーディオ信号を出力および／または入力するように構成される。たとえば、オーディオ構成要素８１０は、デバイス９００がコール・モード、記録モード、および音声認識モードなどの動作モードであるとき外部オーディオ信号を受信するように構成されたマイクロホン（ＭＩＣ）を含む。受信されたオーディオ信号は、メモリ８０４内にさらに記憶されてもよいし、通信構成要素８１６を介して送信されてもよい。いくつかの実施形態では、オーディオ構成要素８１０は、オーディオ信号を出力するためのスピーカも含む。
【０１７７】
Ｉ／Ｏインタフェース８１２は、処理構成要素８０２と周辺インタフェース・モジュールとの間のインタフェースを提供する。上記の周辺インタフェース・モジュールは、キーボード、クリック・ホイール、ボタンなどであってよい。これらのボタンは、限定するものではないが、ホーム・ボタン、ボリューム・ボタン、スタート・ボタン、およびロック・ボタンを含んでよい。
【０１７８】
センサ構成要素８１４は、さまざまな態様におけるステータス評価をデバイス９００に提供するために、１つまたは複数のセンサを含む。たとえば、センサ構成要素８１４は、デバイス９００のディスプレイおよびキーパッドなどのデバイス９００の開閉状態および構成要素の相対的位置決めを検出することがあり、センサ構成要素８１４は、デバイス９００またはデバイス９００の構成要素の位置の変化、デバイス９００とのユーザ接触の存在または不在、デバイス９００の方向または加速／減速、およびデバイス９００の温度変化も検出することがある。センサ構成要素８１４は、物理的接触なしに隣接物体の存在を検出するように構成された近接センサを含むことがある。センサ構成要素８１４は、イメージング適用例において使用される、相補型金属酸化膜半導体（ＣＭＯＳ）画像センサまたは電荷結合素子（ＣＣＤ）画像センサなどの光学センサをさらに含むことがある。いくつかの実施形態では、センサ構成要素８１４は、加速度センサ、ジャイロ・センサ、磁気センサ、圧力センサ、または温度センサも含むことがある。
【０１７９】
通信構成要素８１６は、デバイス９００と他のデバイスとの間のワイヤード通信またはワイヤレス通信を容易にするように構成される。デバイス９００は、ＷｉＦｉ、２Ｇもしくは３Ｇ、またはそれらの組み合わせなどの通信規格に基づいて、ワイヤレス・ネットワークにアクセスすることがある。一例では、通信構成要素８１６は、ブロードキャスト・チャネルを介して外部ブロードキャスト管理システムからブロードキャスト信号またはブロードキャスト関連情報を受信する。例示的な一実施形態では、通信構成要素８１６は、近距離通信を容易にするために短距離通信（ＮＦＣ）モジュールも含む。たとえば、ＮＦＣモジュールは、無線周波数認識（ＲＦＩＤ）技術、赤外線データ協会（ＩｒＤＡ）技術、超広帯域（ＵＷＢ）技術、ブルートゥース（登録商標）（ＢＴ）技術、および他の技術に基づいて、実施されてよい。
【０１８０】
例示的な一実施形態では、デバイス９００は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、コントローラ、マイクロコントローラ、マイクロプロセッサ、または上記の方法実施形態においてＵＥ２０によって動作される技術的プロセスを実行するための他の電子構成要素によって実施されてよい。
【０１８１】
例示的な一実施形態では、命令を含むメモリ８０４などの、命令を含む非一時的なコンピュータ可読記憶媒体も提供される。上記の命令は、上記の方法実施形態においてＵＥ２０によって動作される技術プロセスを実施するために、デバイス９００のプロセッサ８２０によって実行されることがある。たとえば、非一時的なコンピュータ可読記憶媒体は、読み出し専用メモリ（ＲＯＭ）、ランダム・アクセス・メモリ（ＲＡＭ）、ＣＤ−ＲＯＭ、磁気テープ、フロッピー・ディスク、光学式データ記憶デバイスなどであってよい。
【０１８２】
図１０は、一例による、データを送信するためのデバイス１０００を示すブロック図である。たとえば、データを送信するためのデバイス１０００は、基地局であってよい。図１０に示されるように、データを送信するためのデバイス１０００は、プロセッサ９０１と、受信機９０２と、送信機９０３と、メモリ９０４とを含んでよい。受信機９０２、送信機９０３、およびメモリ９０４は、バスを通じてプロセッサ９０１に別々に接続される。
【０１８３】
１つまたは複数の実施形態では、プロセッサ９０１は、１つまたは複数の処理コアを含み、本開示の実施形態によって提供されるデータを送信する方法により基地局によって動作される方法を実行するためにソフトウェア・プログラムおよびモジュールを実行する。メモリ９０４は、ソフトウェア・プログラムおよびモジュールを記憶し得る。具体的には、メモリ９０４は、オペレーティング・システム９０４１および少なくとも１つの機能を果たすアプリケーション・モジュール９０４２を記憶し得る。受信機９０２は、別のデバイスによって送信された通信データを受信し、送信機９０３は、別のデバイスに通信データを送信する。
【０１８４】
図１１は、一例による、データを送信するためのシステム１１００を示すブロック図である。図１１に示されるように、データを送信するためのシステム１１００は、基地局１００１と、ＵＥ１００２とを含む。
【０１８５】
基地局１００１は、図４に示される実施形態による、基地局によって動作される、データを送信する方法を実行するように構成される。
【０１８６】
ＵＥ１００２は、図４に示される実施形態による、ＵＥによって動作される、データを送信する方法を実行するように構成される。
【０１８７】
一例によれば、コンピュータ可読記憶媒体も提供される。このコンピュータ可読記憶媒体は、コンピュータ・プログラムが記憶される不揮発性コンピュータ可読記憶媒体であり、記憶されたコンピュータ・プログラムが処理構成要素によって実行されるとき、本開示の前述の実施形態によって提供される、データを送信する方法が実施可能である。
【０１８８】
一例によれば、コンピュータ・プログラム製品も提供される。このコンピュータ・プログラム製品は命令を記憶し、コンピュータ上で実行されるとき、本開示の実施形態によって提供される、データを送信する方法をコンピュータに実行させる。
【０１８９】
一例によれば、チップも提供される。このチップは、プログラマブル論理回路および／またはプログラム命令を含み、実行されるとき、本開示の実施形態によって提供される、データを送信する方法を実行することができる。
【０１９０】
本開示の他の実装形態は、本明細書を参照することによって本開示を実施した後、当業者には容易に明らかであろう。本出願は、その一般的な原理による本開示の任意の変形形態、使用、または改変を包含し、本開示に開示されていない、当技術分野における一般的な常識または従来の技術的手段を含むことを意図したものである。本明細書およびその中における実施形態は例示にすぎず、本開示の範囲および趣旨は、添付の請求の範囲によって示されるべきである。
【０１９１】
本開示は、図面に示される上記で説明された正確な構造に限定されず、さまざまな修正および変更が、その範囲から逸脱することなく本開示に加えられ得ることを理解されたい。本開示の範囲は、添付の請求の範囲によってのみ限定されるべきである。
【手続補正２】
【補正対象書類名】特許請求の範囲
【補正対象項目名】全文
【補正方法】変更
【補正の内容】
【特許請求の範囲】
【請求項１】
ユーザ機器に適用可能である、データを送信する方法であって、
ランダム・アクセス手順中にユーザ機器が基地局にターゲット・アップリンク・データを送信するように要求することを示すターゲット・ランダム・アクセス・プリアンブルを該基地局に送ることと、
該ターゲット・ランダム・アクセス・プリアンブルに基づいて該基地局によって送られ、繰り返し数標識情報を搬送するターゲット・ランダム・アクセス応答を受信することと、
ターゲット送信繰り返し数に従って、該ランダム・アクセス手順中に該基地局に該ターゲット・アップリンク・データを送信することであって、
該ターゲット送信繰り返し数が、該ランダム・アクセス手順中に該ユーザ機器が該基地局に該ターゲット・アップリンク・データを繰り返し送信するように構成される回数を示し、
該ターゲット送信繰り返し数が、該繰り返し数標識情報およびターゲット送信ブロック・サイズに基づいて決定され、
該ターゲット送信ブロック・サイズが、該ランダム・アクセス手順中に該ユーザ機器が該基地局に該ターゲット・アップリンク・データを送信するためのものである、
送信することと
を含む方法。
【請求項２】
前記繰り返し数標識情報が、第３の送信ブロック・サイズに対応する第３の送信繰り返し数を示し、前記方法が、
前記ターゲット送信ブロック・サイズ、該第３の送信ブロック・サイズ、および該第３の送信繰り返し数に基づいて、前記ターゲット送信繰り返し数を決定すること
をさらに含む、請求項１に記載の方法。
【請求項３】
前記第３の送信繰り返し数が送信繰り返し数のセットに含まれ、
該送信繰り返し数のセットが、通信プロトコルによってサポートされる送信繰り返し数のうちの少なくとも１つを含み、上位層シグナリングを通じて前記ユーザ機器に前記基地局によって送られる、
請求項２に記載の方法。
【請求項４】
前記ターゲット送信ブロック・サイズ、前記第３の送信ブロック・サイズ、および前記第３の送信繰り返し数に基づいて、前記ターゲット送信繰り返し数を決定することが、
前記第３の送信ブロック・サイズに対する前記ターゲット送信ブロック・サイズの相対的関係に基づいて、前記第３の送信繰り返し数に対する前記ターゲット送信繰り返し数の第１の相対的関係を決定することと、
該第１の相対的関係および前記第３の送信繰り返し数に基づいて前記ターゲット送信繰り返し数を決定することと
を含む、請求項２に記載の方法。
【請求項５】
前記ターゲット送信ブロック・サイズ、前記第３の送信ブロック・サイズ、および前記第３の送信繰り返し数に基づいて、前記ターゲット送信繰り返し数を決定することが、
前記第３の送信ブロック・サイズに対する前記ターゲット送信ブロック・サイズの相対的関係に基づいて、前記第３の送信繰り返し数に対する基準送信繰り返し数の第２の相対的関係を決定することと、
該第２の相対的関係および前記第３の送信繰り返し数に基づいて該基準送信繰り返し数を決定することと、
該基準送信繰り返し数に基づいて前記ターゲット送信繰り返し数を決定することと
を含む、請求項２に記載の方法。
【請求項６】
前記基準送信繰り返し数に基づいて前記ターゲット送信繰り返し数を決定することが、
前記基準送信繰り返し数に基づいて、前記ターゲット送信繰り返し数を決定することであって、前記ターゲット送信繰り返し数が、値のターゲット・セットの中の前記基準送信繰り返し数からの最小差を有する値である、決定すること
を含み、
該値のターゲット・セットが少なくとも１つの値を含み、該少なくとも１つの値の各々が、第１のあらかじめ設定された値の整数倍または第２のあらかじめ設定された値の整数乗である、請求項５に記載の方法。
【請求項７】
前記基準送信繰り返し数に基づいて前記ターゲット送信繰り返し数を決定することが、
前記基準送信繰り返し数に基づいて、前記ターゲット送信繰り返し数を決定することであって、前記ターゲット送信繰り返し数が、前記基準送信繰り返し数からの最小差を有する通信プロトコルによってサポートされる送信繰り返し数のうちの１つである、決定すること
を含む、請求項５に記載の方法。
【請求項８】
前記繰り返し数標識情報が、前記ターゲット・ランダム・アクセス応答のためのアップリンク・スケジューリング・グラント内で搬送される、請求項１から７のいずれか一項に記載の方法。
【請求項９】
基地局に適用可能である、データを送信する方法であって、
ユーザ機器によって送られたターゲット・ランダム・アクセス・プリアンブルを受信することであって、該ターゲット・ランダム・アクセス・プリアンブルが、ランダム・アクセス手順中に該ユーザ機器が基地局にターゲット・アップリンク・データを送信するように要求することを示す、受信することと、
該ターゲット・ランダム・アクセス・プリアンブルに基づいて、該ユーザ機器にターゲット・ランダム・アクセス応答を送ることであって、
該ターゲット・ランダム・アクセス応答が、該ユーザ機器が該繰り返し数標識情報およびターゲット送信ブロック・サイズに基づいてターゲット送信繰り返し数を決定するための繰り返し数標識情報を搬送し、
該ターゲット送信繰り返し数が、該ランダム・アクセス手順中に該ユーザ機器が該基地局に該ターゲット・アップリンク・データを繰り返し送信するように構成される回数を示し、
該ターゲット送信ブロック・サイズが、該ランダム・アクセス手順中に該ユーザ機器が該基地局に該ターゲット・アップリンク・データを送信するためのものである、
送ることと、
該ランダム・アクセス手順中に、該ターゲット送信繰り返し数に従って該ユーザ機器によって送信された該ターゲット・アップリンク・データを受信することと
を含む方法。
【請求項１０】
前記繰り返し数標識情報が、第３の送信ブロック・サイズに対応する第３の送信繰り返し数を示し、
該第３の送信繰り返し数および該第３の送信ブロック・サイズが、前記ターゲット送信ブロック・サイズと組み合わせて、前記ユーザ機器が前記ターゲット送信繰り返し数を決定するためのものである、
請求項９に記載の方法。
【請求項１１】
前記第３の送信繰り返し数が送信繰り返し数のセットに含まれ、
該送信繰り返し数のセットが、通信プロトコルによってサポートされる送信繰り返し数のうちの少なくとも１つを含み、上位層シグナリングを通じて前記ユーザ機器に前記基地局によって送られる、
請求項１０に記載の方法。
【請求項１２】
前記繰り返し数標識情報が、前記ターゲット・ランダム・アクセス応答のためのアップリンク・スケジューリング・グラント内で搬送される、請求項９から１１のいずれか一項に記載の方法。
【請求項１３】
ユーザ機器であって、
プロセッサと、
該プロセッサによって実行可能である命令を記憶するためのメモリと
を備え、
該プロセッサが、
基地局にターゲット・ランダム・アクセス・プリアンブルを送り、該ターゲット・ランダム・アクセス・プリアンブルが、ランダム・アクセス手順中に該ユーザ機器が該基地局にターゲット・アップリンク・データを送信するように要求することを示し、
該ターゲット・ランダム・アクセス・プリアンブルに基づいて該基地局によって送られ、繰り返し数標識情報を搬送するターゲット・ランダム・アクセス応答を受信し、
ターゲット送信繰り返し数に従って、該ランダム・アクセス手順中に該基地局に該ターゲット・アップリンク・データを送信する
ように構成され、
該ターゲット送信繰り返し数が、該ランダム・アクセス手順中に該ユーザ機器が該基地局に該ターゲット・アップリンク・データを繰り返し送信するように構成される回数を示し、
該ターゲット送信繰り返し数が、該繰り返し数標識情報およびターゲット送信ブロック・サイズに基づいて決定され、
該ターゲット送信ブロック・サイズが、該ランダム・アクセス手順中に該ユーザ機器が該基地局に該ターゲット・アップリンク・データを送信するためのものである、
ユーザ機器。
【請求項１４】
基地局であって、
プロセッサと、
該プロセッサによって実行可能である命令を記憶するためのメモリと
を備え、
該プロセッサが、
ユーザ機器によって送られたターゲット・ランダム・アクセス・プリアンブルを受信し、該ターゲット・ランダム・アクセス・プリアンブルが、ランダム・アクセス手順中に該ユーザ機器が該基地局にターゲット・アップリンク・データを送信するように要求することを示し、
該ターゲット・ランダム・アクセス・プリアンブルに基づいて、該ユーザ機器にターゲット・ランダム・アクセス応答を送り、
該ターゲット・ランダム・アクセス応答が、該ユーザ機器が該繰り返し数標識情報およびターゲット送信ブロック・サイズに基づいてターゲット送信繰り返し数を決定するための繰り返し数標識情報を搬送し、
該ターゲット送信繰り返し数が、該ランダム・アクセス手順中に該ユーザ機器が該基地局に該ターゲット・アップリンク・データを繰り返し送信するように構成される回数を示し、
該ターゲット送信ブロック・サイズが、該ランダム・アクセス手順中に該ユーザ機器が該基地局に該ターゲット・アップリンク・データを送信するためのものであり、
該ランダム・アクセス手順中に、該ターゲット送信繰り返し数に従って該ユーザ機器によって送信された該ターゲット・アップリンク・データを受信する
ように構成される、基地局。
【手続補正書】
【提出日】令和2年12月10日(2020.12.10)
【手続補正１】
【補正対象書類名】図面
【補正対象項目名】図１１
【補正方法】変更
【補正の内容】
【図１１】
2021525022.tif 000020
【国際調査報告】
2021525022.tif 000021
2021525022.tif 000022
2021525022.tif 000023
2021525022.tif 000024